(57)【要約】【課題】ガラス板の運搬や着脱作業を容易化したガラス支持機構を提供する。【解決手段】窓枠の背面側に窓口開口を塞ぐように取り付けられる前後２枚のガラス板を有し前後のガラス板を透視させてゲームを行う遊技機にあって、前後２枚のガラス板が保護フレーム５３に保持されて一体のガラスアッセンブリ７５を形成する。保護フレーム５３の上部には、窓枠の背面上部に設けられた吊支シャフト７２ｂと係脱可能に係合してガラスアッセンブリを吊り下げ支持する掛止ブラケット７６が取り付けられ、保護フレーム５３の左右には吊り下げられたガラスアッセンブリを係止するロックアーム７８，７９が設けられている。掛止ブラケット７６における立設部の中央には把持ハンドル部７６ｍが形成され、ガラスアッセンブリ７５を片手で手持ち運搬可能にガラス支持機構が構成される。【選択図】　図１３
2004105341.tif 000002
【特許請求の範囲】
【請求項１】
遊技盤を保持する枠部材の前面側に、前後に開口する窓口を有して横開き開閉可能に取り付けられた窓枠とこの窓枠の背面側にガラス保持手段を介して前記窓口を塞ぐように取り付けられた少なくとも前後２枚のガラス板とを有してなるガラス扉を備え、前記ガラス扉が前記遊技盤の前面を覆うように閉鎖された状態で前記ガラス板を通して前記遊技盤を透視させ遊技を行う遊技機において、
前記ガラス保持手段には、
前記前後のガラス板の外周縁部と係合して当該前後のガラス板を所定の間隔をおいて保持し一体のガラスアッセンブリを形成させる保護部材と、
前記窓枠の上部に配設された吊支部材および前記保護部材の上部に配設されて前記吊支部材と係脱可能な掛止部材を有し、前記掛止部材を前記吊支部材に係合させた係合状態において前記ガラスアッセンブリを前記窓口の背後で前後傾動可能に吊り下げ支持する吊掛機構とを備え、
前記掛止部材には、前記ガラスアッセンブリを片手で手持ち運搬可能な把持構造が形成され、
前記掛止部材を前記吊支部材に係合させて前記ガラスアッセンブリを吊り下げ支持させることで、前記ガラスアッセンブリが前記窓口を塞ぐ取付位置に位置して配設されることを特徴とする遊技機のガラス支持機構。
【発明の詳細な説明】
【０００１】
【発明の属する技術分野】
本発明は、前後に開口する窓口を有した窓枠の背面側にこの窓口を塞ぐように取り付けられる少なくとも前後２枚のガラス板を有し、前後のガラス板を透視させてゲームを行う遊技機のガラス窓に関し、なお詳細には、このような遊技機の窓枠にガラス板を着脱可能に支持させるガラス支持機構に関する。
【０００２】
【従来の技術】
上記のようなガラス窓を有する遊技機として、パチンコ機やアレンジボール機、雀球遊技機などの遊技機がある。例えば、この種の遊技機の代表例として例示されるパチンコ機では、開閉搭載枠たる前枠の正面奥部に所定のゲージ設定で遊技領域が形成された遊技盤がセット保持されており、その前面側に遊技領域を透視保護するガラス扉が設けられている。
【０００３】
ガラス扉は、中央部に開口する窓口を有して外郭方形状に一体成型された窓枠（扉枠とも称される）と、この窓枠の背面側にガラス保持手段を介して窓口を塞ぐように取り付けられた前後２枚のガラス板とを主体として構成されており、窓枠および前枠の左側縁に配設されたヒンジ機構で横開き開閉自在に支持されるとともに、互いの右側縁に配設された施錠装置を利用して閉鎖保持可能に取り付けられている。ガラス保持手段としては、窓枠の裏面側に窓口を取り囲むようにねじ固定された金属製のガラス枠が従来から広く用いられている。ガラス枠の左右辺部にはガラス板の外周縁部を支持するガイドレール状の支持溝が前後２列に形成されており、ガラス枠の上方から各支持溝に沿ってガラス板を挿入することでガラス板を保持させるように構成されている。
【０００４】
ガラス板は、パチンコ機の運搬途上における乱雑な取り扱いや振動等による破損を防止するため、パチンコ機の出荷に際してガラス扉から取り外され別梱包して出荷されており、パチンコ機が遊技施設に固定設置された後に、窓枠を開放させて１枚ずつガラス枠に挿入することで組み付けられている。
【０００５】
ところが、上記したような従来のガラス支持機構にあっては、ガラス板がそれ自身１枚ずつ単体で取り扱われるため、着脱作業をガラス板の枚数分行わなければならないうえに、ガラス板の装着、脱着、運搬等の各過程においてチッピングや割れ等の機械的損傷を受けやすく、作業者にとってもガラス板を取り扱う際に周縁のエッジに留意しつつ作業を行わなければならいなど、作業が繁雑であるという問題があった。
【０００６】
また、遊技施設においてガラス板を取り付ける際に、すでに立設姿勢に設置されて高所位置にあるガラス枠の上端位置までガラス板を鉛直に立てた状態で持ち上げ支持したうえで、ガラス板の左右側縁下端部を支持溝に位置あわせして係合させ、さらに支持溝に沿って鉛直下方に挿入する必要や、ガラス板を取り外す際も同様にガラス板を高い位置まで鉛直姿勢を維持したまま上方に持ち上げて引き抜く必要があり、特にガラス扉の正面側に位置する前方のガラス板は窓口の背面に密接するように配設されるため、ガラス板を挿抜することが容易でないという問題があった。このため、上記ガラス板の割れやすいという特性に加えてガラス板の着脱作業が繁雑かつ重労働であるという問題があった。
【０００７】
こうした問題を解消してガラス板の装着や取り扱いを容易化するため、前後２枚のガラス板を所定の間隔をおいて一体化させたもの（例えば、特許文献１、特許文献２を参照）や、このように一体化したガラスアッセンブリを所要の施錠部材で４カ所程度固定してガラス扉の背面側に固定保持させるもの（例えば、特許文献３、特許文献４を参照）などが知られている。
【０００８】
また、ガラス板の外周縁部を支持するガラス枠を窓枠に対して前後に傾動可能に配設し、窓枠を開放してガラス枠の上部を窓口後方に傾動させた状態で、前後のガラス板を１枚ずつ（または前後のガラス板を保持したガラスアッセンブリを一体として）ガラス枠の上方から斜め下方に挿入させることで、ガラス板の装着作業を容易化しようとしたものがある（例えば、特許文献５を参照）。
【０００９】
【特許文献１】
実開昭５９−１８３２８２号公報（第１−４図）
【特許文献２】
実開平２−１０６２９１号公報（第２、３図）
【特許文献３】
特開平９−７１８号公報（第３−４頁、第１−３図）
【特許文献４】
特開平９−５６９０３号公報（第２４−２５頁、第２図）
【特許文献５】
特開平１０−８０５５５号公報（第５−１３頁、第１４−１６図）
【００１０】
【発明が解決しようとする課題】
しかしながら、特許文献１〜特許文献４に記載された技術では、前後のガラス板を一体化することでガラス板を着脱する際の作業工数や安全性等について一定程度改善されるものの、一体化されたガラスアッセンブリでは重量が倍加しており、これに伴って取り扱いが面倒になったという指摘もなされている。例えば、ガラスアッセンブリを持ち運ぶ時にはガラスアッセンブリの上下辺または左右辺を把持して両手で作業を行う必要があり作業効率が上がらないという問題や、運搬中に前後のガラス面に指紋や油脂等の汚れが付着してしまい清掃作業が必要であるなどの問題があった。また、重量が増加したガラスアッセンブリを窓枠の所要位置に整合させる位置合わせ作業や、整合状態を維持して窓枠に固定する固定作業などについては却って作業性が悪化し、ガラス板の着脱作業全体として作業の容易化が図られていないという問題があった。
【００１１】
また、特許文献５に開示された構成では、ガラス枠を傾動させることでガラス板の挿入方向が斜め方向に変化するものの、ガラス枠上端の高さ位置、すなわち挿入すべきガラス溝の高さ位置は傾動姿勢にあっても殆ど変化しないため、高所位置にあるガラス枠の上端までガラス板を持ち上げ支持して支持溝に係合させるという作業に大差がなく、また重量が倍増したガラスアッセンブリをそのような高所位置に持ち上げ支持して支持溝に係合させることは容易ではなく、着脱作業の容易化を十分に図ることができないという問題があった。さらに、ガラス板を装着したガラス枠を固定手段により窓枠に固定保持させるまでの間は、ガラス枠またはガラス板の背面側を片手で支えながら他方の手で片手作業を行わなければならず、作業が繁雑であるという問題があった。
【００１２】
本発明は、以上のような問題に鑑みてなされたものであり、ガラス板の取り扱い性を向上させるとともに、煩雑かつ重労働であるガラス板の着脱作業を容易化して作業効率や生産性を高めたガラス支持機構を提供することを目的とする。
【００１３】
【課題を解決するための手段】
上記目的を達成するため、本発明は、遊技盤を保持する枠部材の前面側に、前後に開口する窓口を有して横開き開閉可能に取り付けられた窓枠とこの窓枠の背面側にガラス保持手段を介して窓口を塞ぐように取り付けられた少なくとも前後２枚のガラス板とを有してなるガラス扉を備え、ガラス扉が遊技盤の前面を覆うように閉鎖された状態でガラス板を通して遊技盤を透視させ遊技を行う遊技機に関するものである。そのうえで、本発明のガラス保持手段には、前後のガラス板の外周縁部と係合して当該前後のガラス板を所定の間隔をおいて保持し一体のガラスアッセンブリを形成させる保護部材（例えば、実施形態における保護フレーム５３）と、窓枠の上部に配設された吊支部材（例えば、実施形態における吊支ブラケット５２Ｔ等）および保護部材の上部に配設されて吊支部材と係脱可能な掛止部材（例えば、実施形態における掛止ブラケット５６、掛止シャフト５７等）を有し、掛止部材を吊支部材に係合させた係合状態においてガラスアッセンブリを窓口の背後で前後傾動可能に吊り下げ支持する吊掛機構とを備え、掛止部材を吊支部材に係合させてガラスアッセンブリを吊り下げ支持させることで、ガラスアッセンブリが窓口を塞ぐ取付位置に位置して配設されるように構成するとともに、吊掛機構における掛止部材にガラスアッセンブリを片手で手持ち運搬可能な把持構造（例えば、実施形態における把持ハンドル部５７ｍ等）を形成してガラス支持機構を構成する。
【００１４】
このような構成のガラス支持機構では、前後のガラス板の外周縁部が保護部材に係合保持されて一体のガラスアッセンブリが形成され、このように一体化されたガラスアッセンブリが保護部材および窓枠の上部に設けられた吊掛機構により係脱可能かつ係合状態で前後傾動可能に取り付けられる。このため、外周部が保護された前後２枚のガラス板を一工程で窓枠に着脱させることができるうえ、窓枠の背面側から低い作業位置でガラスアッセンブリの着脱作業を行うことができ、背の低い作業者や非熟練作業者であっても容易かつ安全にガラス板の着脱作業を行うことができる。
【００１５】
また、吊掛機構により前後に傾動可能に支持されたガラスアッセンブリを垂下させて吊り下げ支持させるだけで、ガラスアッセンブリが窓口を塞ぐ取付位置に位置して配設されるため、ガラスアッセンブリの荷重を支持しながら位置合わせをしたり、片手でガラスアッセンブリを支えながら固定操作する等の必要がなく、ガラス板の着脱作業を全体的に容易化して作業性が良好なガラス支持機構を構成することができる。
【００１６】
さらに、掛止部材に形成された把持構造を利用してガラスアッセンブリを片手で手持ち運搬することができるため、新たに把持のための部材等を追加して設けることなく、両手作業の問題や清掃作業の問題を解決して作業効率や生産性を高めたガラス支持機構を提供することができる。
【００１７】
【発明の実施の形態】
以下、本発明の好ましい実施形態について、好適な実施例を挙げて添付図面を参照しながら詳細に説明する。なお実施例では、前枠の正面奥部に遊技盤が収容保持されたパチンコ機のガラス扉に本発明を適用した場合を主として説明する。
【００１８】
まず、本実施例のパチンコ機ＰＭの概要構成を図１および図２を参照して要約説明する。なお、図１はパチンコ機ＰＭの外観正面図を、図２は後述するガラス扉５および上球皿６を開いた状態におけるパチンコ機の正面図を示している。
【００１９】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００２０】
前枠２の各部にはパチンコ遊技を展開する遊技展開部材として、前枠２の前側面域に合わせた方形状のガラス扉５および上球皿６が正面左側部に設けられたヒンジ機構７ａ，７ｂ，７ｃを利用して横開き開閉および着脱が可能に組付けられ、上球皿６の下部に下球皿８、操作ハンドル９および打球発射装置１０等が装備されている。前枠２の上方奥部には後方に突出する方形枠状の収容枠２ａが前枠２と一体に形成されており、この収容枠２ａに所定のゲージ設定で構成された遊技盤２０が着脱可能にセット保持され、常には閉鎖保持されるガラス扉５に遊技盤正面の遊技領域ＰＡを臨ませている。
【００２１】
前枠２の裏側には、詳細図示省略するが、球貯留タンクや球払出装置等を有する裏機構盤が遊技盤２０の背面を覆うように横開き開閉および着脱可能に装備されるとともに、裏面各部に主制御基板やターミナル基板、音声基板等の各種基板や電子部品などが取り付けられて各機器がワイヤーハーネスで接続されている。
【００２２】
前枠２の上下中間領域には遊技補助盤と称される補助機構部２ｂが形成されており、発射レール１１やファール球回収経路１２、スピーカ１３などが設けられている。遊技補助盤２ｂの左上部は一部上方に延出されて前後に連通する通出口１４が形成され（図５を参照）、この通出口１４の後方に配設される裏機構盤の球出口と、通出口１４の前方に位置整合して配設される上球皿６の通出樋１５との間を繋いで、球払出装置から払い出された遊技球を通出口１４および通出樋１５を通して上球皿６に排出するように構成されている。なお、ガラス扉５はいわゆるダブル錠と称される施錠装置４により収容枠２ａの前面を覆う閉鎖姿勢にロック保持され、上球皿６はガラス扉５を開放させた状態においてのみ開閉操作可能なロック機構１６により遊技補助盤２ｂの前面を覆う閉鎖姿勢にロック保持される。
【００２３】
パチンコ機ＰＭは、上球皿６およびガラス扉５がともに閉止され施錠された状態で遊技に供され、上球皿６に遊技球を貯留させて操作ハンドル９を回動操作することにより遊技が開始される。操作ハンドル９が回動操作されると、上球皿６に貯留された遊技球が同球皿に内蔵された球送り装置によって１球ずつ発射レール１１上に送り出され、打球発射装置１０のハンマーに打ち出されて発射レール１１および遊技盤２０の案内レールに沿って遊技領域ＰＡに導かれ、以降パチンコゲームが展開される。
【００２４】
以上のように概要構成されるパチンコ機ＰＭにあって、前枠２およびガラス扉５の左側部に、前枠２に対してガラス扉５を開放状態に保持させる扉開放保持機構４０が設けられている。本実施例に開示する扉開放保持機構４０は、図３〜図６の各図に示すように、ガラス扉５の下部に水平面内に揺動可能に支持された係止金具４１を主体としてガラス扉５を開放状態に係止保持させる第１開放保持機構４０Ａと、ガラス扉５の背面に垂直面内に揺動可能に支持された固定金具４６を主体としてガラス扉５を開放状態に固定させる第２開放保持機構４０Ｂとの二つの開放保持機構を設けた例を示している。
【００２５】
なお、図３から図６の各図について概説すると、図３はガラス扉５を開放した状態で前枠２の前方斜め上方から見た扉開放保持機構４０の分解斜視図、図４は扉開放保持機構４０によりガラス扉５を開放保持させた状態の平面図、図５は扉開放保持機構４０によりガラス扉５を開放保持させた状態の背面図、図６はガラス扉５を閉鎖した状態を示す平断面図である。
【００２６】
扉開放保持機構４０を説明するにあたり、まずガラス扉５について概要構成を説明すると、ガラス扉５は、前後に開口する窓口５１ａを有して外郭方形の枠状に一体成型された樹脂製の窓枠５１の背面側に、窓口５１ａの周囲を取り囲むように薄板板金製の固定支持枠５２（下方枠部５２Ｕ、左方枠部５２Ｌ、右方枠部５２Ｒ）がねじ固定され、この固定支持枠５２に保護フレーム５３により前後２枚のガラス板５４が所定間隔をおいて一体化されたガラスアッセンブリ５５が後述する吊掛機構および係止保持機構を利用して前後傾動および係止保持可能に支持されて構成される。ガラス扉５は、窓枠５１と前枠２との正面左側に設けられたヒンジ機構７ａ，７ｂにより前枠２に対して横開き開閉および着脱が自在に支持されている。
【００２７】
扉開放保持機構４０における第１開放保持機構４０Ａは、ガラス扉下部の固定支持枠５２（５２Ｕ）に水平旋回可能に支持される係止金具４１を主体として構成される。係止金具４１は、帯板状に細長く形成された保持杆部４１ａと、この保持杆部４１ａの基端側に形成された旋回軸部４１ｂ、保持杆部４１ａの先端側に穿設された係止孔部４１ｃなどからなり、例えば所定板厚の冷間圧延鋼板をプレス加工等により打ち抜き成形して、円柱軸の中心に雌ネジ部が形成された旋回軸部４１ｂをカシメ圧着した後、クロメート処理等の所要の表面処理を行って図示する形態に構成される。
【００２８】
固定支持枠５２の下方枠部５２Ｕには、前後のガラス板５４，５４の中間位置（より詳細には後述する溝間凹部の配設位置）に位置してネジ４２を挿通させる丸孔が形成されており、下方枠部５２Ｕの支持面側からネジ４２を挿通させて旋回軸部４１ｂの雌ネジ部に螺合させることにより、係止金具４１がガラス扉５の下部に水平旋回可能に取り付けられる。下方枠部５２Ｕの左右中間領域には、取付面が切り起こし成形されて後方に突出する係止フック（図示せず）が形成されており、係止金具４１を下方枠部５２Ｕに沿うように水平旋回させたときに、支持杆部４１ａの下面を支持して係止金具４１を係止保持可能に構成されている。これにより、常には係止金具４１が係止フックに係止されて下方枠部５２Ｕの下部にコンパクトに格納保持される。
【００２９】
また、通出口１４の上方には、上球皿６に設けられた通出樋１５から針金や金属薄板等を挿入して不正操作が行われることを防止するため、通出口１４の上方および右側方を覆うように前方に突出する庇部１７が形成されており、ガラス扉５を閉鎖したときに庇部１７の前方部分が下方枠部５２Ｕに覆われるようになっている。庇部１７の後方には係止金具の係止孔部４１ｃと係脱可能なピン状の係止突起部１７ａ，１７ｂが突出形成されている。
【００３０】
ここで、係止金具４１における保持杆部４１ａの長さ、及び二つの係止突起部１７ａ，１７ｂの形成位置は、開放保持させようとするガラス扉５の前枠２に対する開放角度に基づいて設定され、例えば、図４中に実線及び二点鎖線で示すように、係止孔部４１ｃを正面右側の係止突起部１７ａに係合させて張り渡したときに、ガラス扉５の開放角度が９０度となり、正面左側の係止突起部１７ｂに係合させて張り渡したときにガラス扉５の開放角度が１１０度（機構上の最大開き角度近傍の角度）となるように設定される。これにより、隣接するパチンコ機に対して順次ガラス板を装着するときや保守作業を行うとき等にはガラス扉を９０度の開放角度に係止保持させ、個別のパチンコ機ごとに釘調整を行うとき等には１１０度の開放角度で係止保持させるなど、作業目的に応じて２段階の開放角度で保持させることができる。なお、開放角度は他の角度に設定してもよく、また三以上設けて多段階の開放角度位置で係止保持可能に構成してもよい。
【００３１】
扉開放保持機構４０における第２開放保持機構４０Ｂは、ガラス扉５の背面に垂直面内に上下揺動可能に支持される固定金具４６を主体として構成される。固定金具４６は、帯板状のアーム部４６ａと、このアーム部４６ａの基端側に板面から垂直に延びてカシメ圧着された円筒状の揺動軸部４６ｂ、アーム部４６ａの先端側が揺動軸部４６ｂと反対方向に直角に折り曲げられて形成された固定片部４６ｃ、この固定片部に下方に開いて形成されたＵ字状のネジ係合溝４６ｄなどからなり、上記係止金具４１と同様の金属材料を用いて同様の加工手段により構成される。
【００３２】
固定金具４６が取り付けられる窓枠５１の背面側には、窓口側部の面材から後方に突出するボス５１ｂが一体に形成され、その後端側の中心部にネジを受容するネジ受容穴が形成されている。ボス５１ｂの突出高さは固定支持枠５２を支持する支持ボスやリブと同一高さに形成される一方、固定支持枠５２における左方枠部５２Ｌにはボス５１ｂの後端面を露出させて揺動軸部４６ｂの前端部を回動自在に嵌合支持する支持孔部５２ｈが形成されている。
【００３３】
また、ガラス扉５の閉鎖姿勢において窓枠５１の背後に位置する前枠２の前端面には、固定金具の固定片部４６ｃを当接支持する固定支持部２ｃが形成され、その中心部にネジ４８を受容するネジ受容穴が形成されている（図５を参照）。
【００３４】
固定金具４６は、揺動軸部４６ｂの前端部を左方枠部５２Ｌに形成された支持孔部５２ｈに嵌合させてボス５１ｂに当接させ、揺動軸部４６ｂの後方からネジ４７を挿通させてボス５１ｂのネジ受容穴に螺合させることにより、ガラス扉５の背面に垂直面内に揺動可能に支持される。
【００３５】
本実施例に示す固定金具４６はガラス扉５を９０度の開放角度で係止保持または固定保持可能に構成されており、アーム部４６ａの長さおよび固定支持部２ｃの形成位置は、ガラス扉５を９０度の開放角度に開放させた状態で、固定金具のアーム部４６ａが水平になるように上方から揺動させたときに、ネジ係合溝４６ｄがネジ４８のネジ軸部と係合し固定片部４６ｃがネジ頭部と固定支持部２ｃとの間に挟持されてガラス扉５を９０度の開放角度に係止保持し、この状態からネジ４８を締め込むと固定片部４６ｃが固定支持部２ｃにねじ固定されてガラス扉５を上記開放角度に固定保持するようになっている。なお、固定金具におけるアーム部４６ａの長さおよびアーム部４６ａに対する固定辺部４６ｃの折り曲げ角度を適宜設定することにより、他の開放角度、例えば前述した１１０度の開放角度でガラス扉５を係止保持ないし固定保持させるように構成することも可能である。
【００３６】
固定金具４６は、例えば図５中に二点鎖線で付記するように、先端の固定片部４６ｃが鉛直下方に位置して左方枠部５２Ｌに沿うように収容され、または先端の固定片部４６ｃが鉛直上方に位置して左方枠部５２Ｌに沿うように収容される。なお、固定支持部２ｃは固定片部４６ｃを当接支持する領域のみが前方に突出するように形成されており、９０度近傍の開放角度位置でアーム部４６ａを揺動させたときに固定片部４６ｃの前後の縁部が固定支持部２ｃ周辺の前枠と当接することなく、ネジ係合溝４６ｃを容易に係合させ得るようになっている。また、固定支持部２ｃを側断面視台形状に形成することにより上記効果をさらに向上させることも可能である。
【００３７】
このように構成される扉開放保持機構４０の作用について、ガラス扉５を９０度の開放角度に開放保持させる場合を例として説明すると、作業者は、合鍵を施錠装置４の錠部に嵌挿して、例えば反時計回りに回動操作することでガラス扉５のロックを解除し、浮き上がるように開いたガラス扉の窓枠５１の側縁に指をかけてガラス扉５を９０度近傍の開き角度に開放させる。
【００３８】
次いで、下方枠部５２Ｕの係止フックに収容保持されている係止金具４１を手前に引き出すように水平旋回させて保持杆部４１ａの先端側を庇部１７上に導き、ガラス扉５の開き角度を微調整しながら保持杆部先端の係止孔部４１ｃを係止突起部１７ａに位置合わせして、これらを係合連結させる。これにより、係止金具４１が下方枠部５２Ｕと庇部１７との間に張り渡されて係止され、ガラス扉５が９０度の開放角度をもって開放状態に保持される。従って、以上のような係止金具４１の係合操作のみによって簡便にガラス扉５を開放状態に係止保持させることができる。
【００３９】
一方、より強固な開放保持を望む場合等には、上記係止金具４１によるガラス扉５の係止保持に加えて固定金具４６によるガラス扉５の係止保持または固定保持を行う。なお、固定金具４６の固定片部４６ｃが鉛直下方に位置して収容されている場合には、９０度を超える開放角度まで一度ガラス扉５を開いて固定金具４６を水平よりも上方の揺動角度位置に待避させておき、この待避状態で係止金具４１によるガラス扉５の係止保持または固定金具４６によるガラス扉５の係止保持作業を行う。これらの作業はいずれを先行して行ってもよいが、ここでは、固定金具４６を上方に待避させた状態で係止金具４１による係止保持を行ったものとして以降説明を続ける。
【００４０】
上述したように、係止金具４１における係止孔部４１ｃを係止突起部１７ａに係合させた状態では、ガラス扉５が既に９０度の開放角度をもって開放状態に保持されている。そこで、作業者は待避姿勢にある固定金具のアーム部４６ａを時計回りに揺動させてアーム部４６ａが水平になるように下動させる。すると、アーム部先端の固定片部４６ｃが固定支持部２ｃの上方から円弧軌跡をもって下動し、ネジ係合溝４６ｄがネジ４８のネジ軸部を受容するように係合して固定片部４６ｃがネジ頭部と固定支持部２ｃの支持面との間に進入し、これらの間に挟持されるように係合する。これにより、ガラス扉５が固定金具４６によって９０度の開放角度に係止保持される。さらに、このような係合状態からネジ４８を締め込むことにより固定片部４６ｃが固定支持部２ｃにねじ固定され、ガラス扉５が上記開放角度で固定保持される。従って、固定金具４６の係合操作によっても前述同様に簡便にガラス扉５を９０度の開放角度で係止保持させることができ、さらに、ネジ４８を閉め込むことでより強固に固定保持させることができる。
【００４１】
また、係止金具４１の揺動方向と固定金具４６の揺動方向とを直交する平面方向に設定しているため、外力に対する抗力を高めた扉開放保持機構を得ることができる。例えば、ガラス扉５の上部のみを前方に傾動させるような外力が作用して係止金具４１における保持杆部４１ａの先端側が浮き上がり、係止孔部４１ｃと係止突起１７ａとの係合が解除されるようなことがあっても、固定金具４６とネジ４８との係合が外れるようなことがなく、開放状態を安定して維持させることができる。
【００４２】
さらに、例示した係止金具４１では、円筒状の旋回軸部４１ｂを設けることで係止金具４１と下方枠部５２Ｕとの摺動面積を低減化させて滑らかに水平旋回可能に構成するとともに、例えば後述するように下方枠部５２Ｕの下部にガラスアッセンブリ５５の係止保持機構を設ける場合であっても、旋回軸部４１ｂの高さ寸法を適宜変更し、また図５に示すように保持杆部４１ａを屈曲形成することにより、上述した開放保持機能を発揮させ、かつ固定支持枠５２の下部に係止保持金具４１を格納できるようになっている。
【００４３】
なお、係止金具４１では、下方枠部５２Ｕの支持面側から旋回軸部４１ｂにネジ４２を螺合させて連結させているが、旋回軸部４１ｂと下方枠部５２Ｕとの間に樹脂製のワッシャを挟持させて摺動抵抗をさらに低減させるように構成してもよく、雄ネジと雌ネジの係合連結に代えて、リベット等の締結手段を用いて係合連結させ、あるいはスナップリングとリング溝等の嵌着手段を用いて係合連結させてもよい。さらに、係止金具４１を前枠２側に水平旋回可能に支持させて下方枠部５２Ｕ側に係止突起等を設ける構成や、前枠側および下方枠部側双方に係止突起を設けて係止金具をこれら両方の係止突起に着脱可能に係止させる構成としてもよい。
【００４４】
また、実施例では作図および説明上の便宜から、第１開放保持機構４０Ａと第２開放保持機構４０Ｂの両者をガラス扉５の下部に配設した例を示したが、第１または第２開放保持機構のいずれか一方を設ける構成としてもよく、両者を設ける場合には、第２開放保持機構４０Ｂを第１開放保持機構４０Ａと所定間隔離してガラス扉５の上部に配設し、あるいはガラス扉５の上下に複数設ける構成としてもよい。第１開放保持機構４０Ａと第２開放保持機構４０Ｂとをガラス扉５の上下に分けて配設する構成とすれば、ガラス扉５の上方に偏った外力が作用した場合であってもガラス扉５が捻り変形するようなことがなく、上下バランスよく外力に抗して開放状態を安定的に保持させることができる。また、第２開放保持機構４０Ｂを上下に複数設ける構成とすれば、支持バランスの良好さに加えて、衝撃的な外力に対してもより強固に開放状態を保持させる扉開放保持機構を得ることができる。
【００４５】
さて、以上のように開放保持されるガラス扉５に、ガラス板の着脱作業を容易化したガラス支持機構が設けられている。以下、図７〜図１２の各図を参照しながら第１実施例のガラス支持機構５０について説明する。ここで、図７はガラスアッセンブリを取り外して分離させた状態でガラス支持機構の概要構成を略示する全体図（背面図）、図８はガラス支持機構５０の主要部を分解状態で示す斜視図、図９はガラス支持機構５０における吊掛機構および下方の係止保持機構を主として示す背面図、図１０および図１１はガラス支持機構５０における右側方の係止保持機構を示す背面図および平断面図、図１２（Ａ）（Ｂ）はガラス支持機構５０の作用を示す側面図である。なお、図７を除く各図ではガラス扉５における窓枠５１の記載を省略しており、既述した図３〜図６を適宜参照しながら説明する。
【００４６】
ガラス支持機構５０は、窓枠５１の背面側に設けられており、窓口５１ａの周囲を取り囲むように窓枠５１にねじ固定された固定支持枠５２、前後２枚のガラス板５４，５４の外周縁部と係合してこれらのガラス板を所定の間隔をおいて保持し一体のガラスアッセンブリ５５を形成させる保護フレーム５３、窓枠５１の上部に設けられた吊支部材（吊支ブラケット５２Ｔ）および保護フレーム５３の上部に設けられて吊支部材と係脱可能な掛止部材（掛止ブラケット５６、掛止シャフト５７）を有して係止部材を吊支部材に係合させた係合状態でガラスアッセンブリ５５を窓口５１ａの背後で前後に傾動可能に吊り下げ支持する吊掛機構、および窓枠５１の左右および下部に設けられて吊り下げ支持された保護フレーム５３と係脱可能に係合しガラスアッセンブリ５５を取付位置に係止させる係止保持機構（ロックアーム５８、ロックレバー５９等）などからなり、掛止部材にガラスアッセンブリを片手で手持ち運搬可能な把持構造が形成されて構成されている。
【００４７】
固定支持枠５２は、窓口５１ａの下方に位置する下方枠部５２Ｕ、窓口５１ａの右側（背面視左側）に位置する右方枠部５２Ｒ、窓口５１ａの左側（背面視右側）に位置する左方枠部５２Ｌからなり、それぞれ窓枠５１の背面に沿って窓口外方に延び窓枠の背面にネジ固定される取付面と、取付面から後方に延びる支持面とを有して断面視Ｌ字状のビーム形態に曲げ成形されている。各枠部５２Ｕ，５２Ｒ，５２Ｌは、例えば、所定板厚の冷間圧延鋼板をパンチング、ベンディング、プレス等の加工手段により部材ごとに図示する形状に板金加工し所要の表面処理を行った後、下方枠部５２Ｕの左右側端部に左右枠部５２Ｌ，５２Ｒがスポット溶接やリベット等の接合手段により接合されて上方が開いた枠形状に形成され、窓枠５１の背面にねじ固定されて窓口５１ａの周囲を取り囲むように取り付けられる（図３〜図６を併せて参照）。
【００４８】
これにより、窓枠５１の背面に強固な支持枠が形成され、保護フレーム５３に保護された前後のガラス板５４が安定に支持されるとともに、保護フレーム５３の装着の有無にかかわらず窓枠５１を補強する補強枠としても機能し、ガラスアッセンブリ５５の着脱時を含めて窓枠５１の撓み変形等が抑制される。なお、ガラスアッセンブリ５５を支持する支持枠と窓枠５１を補強する補強板とを別体に設ける構成としてもよい。
【００４９】
左方枠部５２Ｌおよび右方枠部５２Ｒの取付面には、窓枠５１に一体成型されて後方に突出する円筒状の支持ボス５１ｃを挿通させる円孔が穿設され（図１１を参照）、支持面側にはこの支持ボス５１ｃに揺動自在に支持されるロックアーム５８およびガラスアッセンブリ５５に形成されたアーム係合片５５ｂの揺動軌跡に合わせて、これらを導入する切り欠き部５２ｅが形成されている。
【００５０】
また、左右枠部５２Ｌ，５２Ｒにおける支持面の上端部には、左右枠部を結んで吊支ブラケット５２Ｔが設けられている。吊支ブラケット５２Ｔは、左右枠部５２Ｌ，５２Ｒの配設間隔に合わせてコの字状に曲げ成型されたプレート部５２ａと、このプレート部５２ａの後縁部が下方に折り曲げられて形成された左右２箇所の吊支フック部５２ｂ（図８では正面左側の吊支フック部、図９では正面右側の吊支フック部がそれぞれ図面上に表れている）とを有して構成される。吊支フック部５２ｂは、プレート部５２ａから下方に折り曲げ成形されており、後述する掛止シャフト５７の軸径に合わせて半円弧状に巻き込まれて斜め上方に開くハンガー状に形成されている。
【００５１】
吊支ブラケット５２Ｔは、左右および下方の枠部と同様の金属材料を用いて同様に加工成形されたうえ、左右枠部５２Ｌ，５２Ｒの上端縁部を結ぶようにリベット締結されて窓口５１ａの上方に固定配設される。これにより、吊支ブラケット５２Ｔはガラスアッセンブリ５５を吊り下げ支持する吊支部材として機能するほか、固定支持枠５２を補強する補強杆としても機能する。なお、プレート部５２ａの前端側を　上方または下方に折り曲げ成形して上下方向に延びるリブを形成し、あるいは他の枠部５２Ｕ，５２Ｌ，５２Ｒと同様に断面視Ｌ字状に形成して窓枠５１にネジ固定してもよく、このような構成により、ガラスアッセンブリ５５を吊り下げ支持させたときのプレート部５２ａの撓み変形を低減させるとともに、固定支持枠５２の剛性をさらに向上させることも可能である。
【００５２】
一方、上記固定支持枠５２に支持されるガラスアッセンブリ５５は、前後２枚のガラス板５４と、これらのガラス板５４の外周縁部と係合してガラス板を保護するとともに、前後のガラス板を所定の間隔を保持して一体のアッセンブリ化させる保護フレーム５３とを主体に構成される。
【００５３】
保護フレーム５３は、内周側にガラス板５４を受容支持する前後２列のガラス溝５３ａを有して外郭方形のフレーム状形態をなし、左右あるいは上下に分割された保護フレーム部材のガラス溝にガラス板５４を係合させてシリコーン系接着剤等で接着することにより、図７に示すようにガラス板５４の外周全体を取り囲むように接合され、一体のガラスアッセンブリ５５が形成される。保護フレーム部材は例えばＡＢＳ樹脂やポリプロピレン、ポリアミドなど比較的軟質の樹脂材料を用いて射出成型等の成形手段により形成される。
【００５４】
前後のガラス溝５３ａ，５３ａは、前後の溝間を所定間隔に保持するスペーサ部を挟んで、それぞれガラス板５４の外周縁部を覆う断面視凹型のレール状に形成され、前方ガラス溝の前面側および後方ガラス溝の背面側には、それぞれの溝内に収容されたガラス板５４の前面および背面を保護する前方の保護シート面５３ｓおよび後方の保護シート面５３ｔが形成されている。このため、前後２枚のガラス板５４，５４がスペーサ部を挟んで所定間隔を保持して平行に支持されるとともに、前後面を含む上下左右の外周縁部全体が比較的軟質の樹脂製の保護フレーム５３に包み込まれるように保持され、ガラスアッセンブリ５５が固定支持枠に係合支持された後のみならず、ガラスアッセンブリ５５の運搬時や着脱作業時などを含めて機械的損傷から保護される。
【００５５】
また、前方の保護シート面５３ｓにおける角部は窓口５１ａの開口部よりも幾分大きめの半径を有したＲ状に延出され、後方の保護シート面５３ｔおよびスペーサ部の角部は窓口５１ａの開口部よりも幾分外側を通るコーナ枠状に延出および膨出成型されている。このため、ガラスアッセンブリ５５を吊り下げ支持して係止させたときに、前方のガラス板５４を窓口５１ａの開口背面に密着させて不正行為可能な隙間を生じさせることなく配設できるとともに、窓口正面側からの視認性を悪化させることなくガラス板５４の支持面積を増大させてガラス板５４が安定支持されるようになっている（図７、図９、図１１等を参照）。
【００５６】
保護フレーム５３の外周側には、フレーム内方に膨出成型されたスペーサ部に対応して凹状に窪む溝間凹部５３ｂが形成され、この溝間凹部５３ｂに前後の壁面を繋いで補強用のリブ５３ｄが適宜な間隔をおいて形成されている。これにより単純枠組み構成に比べて保護フレームを軽量化しながらフレーム剛性を向上させ、保護フレーム５３の捻り変形を抑制している。また、保護フレーム５３の上辺および左右辺の溝間凹部５３ｂには円筒状のネジボス５３ｃが形成され、その中心に溝間凹部の深さを利用してネジの嵌合長さを確保したネジ受容穴５３ｈが形成されている。
【００５７】
保護フレーム５３の上部には、上記ネジ受容穴５３ｈを利用して掛止ブラケット５６がネジ固定され、この掛止ブラケット５６に、把持構造を備えた掛止シャフト５７が固設されている。
【００５８】
掛止ブラケット５６は、保護フレーム５３の前後方向厚さと略同一の板幅で左右方向に延び、その左右側部が保護フレーム５３の左右方向寸法に合わせて下方に折り曲げられて、保護フレーム５３の上部を取り囲むコの字状に形成されたプレート部５６ａを主体として構成され、固定支持枠５２と同様の金属材料を用いて同様の加工手段で形成される。プレート部５６ａの上辺および左右辺には、保護フレーム５３の上辺および左右辺に設けられたネジ受容穴５３ｈに対応してサラコネジ６３を挿通させるサラモミ孔５６ｈが形成され、また上辺左右のサラモミ孔の内側にリベット６１を挿通させるリベット孔が穿設されている（図９を参照）。
【００５９】
一方、掛止シャフト５７は、軸端面がプレート部５６ａに固定されてプレート面から垂直上方に延びる左右２カ所の基部５７ａ、基部の上端が所定高さでそれぞれ左右内方に折り曲げられプレート部５６ａと平行に延びる左右２カ所の支軸部５７ｂ、左右の支軸部５７ｂの中間部がさらに上方にクランク状に折り曲げられてプレート部５６ａの上方にプレート面と平行に延びる把持ハンドル部５７ｍなどからなり、所定線径のみがき鋼棒等をプレス加工等の成形手段で図示する形状に形成し所要の表面処理を施して構成される。
【００６０】
掛止シャフト５７における左右の基部５７ａは、その配設間隔がプレート部５６ａに穿設された左右のリベット孔の形成ピッチと同一寸法に形成され、各基部５７ａの下端面には所定内径のリベット受容穴が形成されている。基部５７ａの内側に形成された左右２カ所の支軸部５７ｂは、既述した吊支ブラケット５２Ｔの左右の吊支フック部５２ｂと上下および左右に位置整合して係脱可能に形成されるとともに、各支軸部５７ｂの基部側には左右の吊支フック部５２ｂの外側縁部と係合してガラスアッセンブリ５５の左右方向位置を位置決めするスナップリング６２が嵌着されている。
【００６１】
左右の支軸部５７ｂの中間に形成された把持ハンドル部５７ｍは、支軸部５７ｂが吊支フック部５２ｂに嵌合されて吊り下げられたときに、把持ハンドル部５７ｍの上端が吊支ブラケット５２Ｔにおけるプレート部５２ａの下面よりもわずかに低くなるように形成されており、把持ハンドル部５７ｍと掛止ブラケットのプレート部５６ａとの間に指入れ可能な空間を形成するとともに、ガラスアッセンブリ５５を前後に揺動させたときに把持ハンドル部５７ｍが吊支ブラケット５２Ｔに当接せずに揺動し得るように構成されている。
【００６２】
掛止シャフト５７は、基部５７ａ下端のリベット受容穴をプレート部５６ａのリベット孔に位置合わせしてプレート部５６ａの下面側からリベット６１を打ち込むことで掛止ブラケット５６に一体的に固着される。そして、このように一体化された掛止ブラケット５６および掛止シャフト５７は、掛止ブラケット５６を保護フレーム５３の上辺にかぶせるように係合させ、ネジ受容穴５３ｈにサラモミ孔５６ｈを通してサラコネジ６３を螺合締結させることにより保護フレーム５３の上部に固定される。掛止ブラケット５６におけるリベット孔の形成位置は、ネジボス５３ｃの内側の溝間凹部５３ｂに位置するように形成されており、リベット６１の頭部が溝間凹部に収容されるようになっている。
【００６３】
そして、このようにして掛止ブラケット５６が保護フレーム５３の上部にネジ固定されると、把持ハンドル部５７ｍが保護フレームの上部中央に配設され、作業者がこの把持ハンドル部５７ｍを把持して片手でガラスアッセンブリ５５を吊り下げ支持し、持ち運び、また着脱作業等を行うことができる。
【００６４】
また、固定支持枠５２における左右枠部５２Ｌ，５２Ｒの内面間隔は、掛止ブラケット５６の外形幅寸法よりもわずかに大きい程度の寸法に設定されており、保護フレーム５３と左右枠部５２Ｌ，５２Ｒとの間に生じる隙間を掛止ブラケット５６の板厚程度に低減させた構成になっている。
【００６５】
なお、基部５７ａにリベット穴を形成してリベット６１で締結する形態を例示したが、このような構成に変えて、基部５７ａの先端部を基部５７ａの外径よりも小径の段付き形態とし、この小径部をリベット孔に挿通させてプレート部５６ａの裏面側で押しつぶし、カシメ圧着するような形態としてもよい。また、掛止ブラケット５６の上辺を固定するネジは、図９に例示するように、ナベコネジ６３′を用いる構成としてもよい。
【００６６】
このように吊掛機構の掛止部材（掛止ブラケット５６および掛止シャフト５７）が取り付けられる保護フレーム５３の上辺に対して、保護フレーム５３の下辺には、下方に突出して左右に延びるリブ状の支持辺部５３ｅおよび延出片部５３ｆが形成され、その下方には吊掛機構に吊り下げ支持されたガラスアッセンブリ５５を取付状態で固定するロックレバー５９が設けられている。
【００６７】
保護フレーム５３の下辺に形成された支持辺部５３ｅは、溝間凹部５３ｂの前方壁面が下方に延出されて形成され、その突出高さは、掛止シャフト５７の左右の支軸部５７ｂを吊支ブラケット５２Ｔの左右の吊支フック部５２ｂに嵌合接続してガラスアッセンブリ５５を吊り下げ支持させたときに、支持辺部５３ｅの下端面の配設高さ位置が下方枠部５２Ｕの支持面の配設高さ位置と一致するように設定されている。これによりガラスアッセンブリ５５を吊り下げ支持させたときに、支持辺部５３ｅが下方枠部５２Ｕの支持面に支持されて、ガラスアッセンブリ５５が適正な取付高さ位置に位置決めされるとともに、ガラスアッセンブリ５５の荷重が下方枠部５２Ｕと吊支ブラケット５２Ｔを介して左右の枠部５２Ｌ，５２Ｒとに分散支持されるようになっている（図１２（Ｂ）を参照）。
【００６８】
また、支持辺部５３ｅの後方に位置する延出辺部５３ｆは、溝間凹部５３ｂの後方壁面が下方に延出されて形成され、その突出高さは支持辺部５３ｅよりも下方に延びて形成されている。下方枠部５２Ｕの支持面はこの延出辺部５３ｆの形成位置に合わせて後端が短く形成されており、上記のようにガラスアッセンブリ５５を吊り下げ支持させたときに延出部５３ｆが支持面の後端縁部に当接して支持され、後端縁部の後方を覆うように下方に延びて配接される。
【００６９】
一方、下方枠部５２Ｕの支持面の下側に位置して左右にロックレバー５９が設けられている。ロックレバー５９は、窓枠５１から後方に突出して成型された支持ボス５１ｄに嵌合して支持ボス５１ｄの軸周りに回動可能に支持される円筒状のカラー部５９ａ、このカラー部５９ａから軸直交方向に突出する舌片状の係止片部５９ｃ、係止片部５９ｃの中央にリブ状に形成された指掛け部５９ｍなどからなり、例えば、ガラス繊維を添加したＡＢＳ樹脂やポリアセタール等の樹脂材料を用いて射出成型等の成形手段で形成される。
【００７０】
ロックレバー５９はカラー部５９ａを支持ボス５１ｄに係合させて、カラー部５９ａの後方からネジ６５を挿通させて支持ボス５１ｄに螺合締結することで、支持ボス５１ｄの軸まわりに回動可能に取り付けられ、係止片部５９ｃが上下揺動可能に支持される。
【００７１】
ここで、係止片部５９ｃの形成位置は、上述したようにガラスアッセンブリ５５を吊り下げて延出部５３ｆが下方枠部５２Ｕ支持面の後端縁部に当接するように支持させたときに、延出片部５３ｆの背面の配設位置と係止片部５９ｃの前面（係止面）の配設位置とが前後方向に一致するように設定されており、ロックレバー５９を回動操作することで係止片部５９ｃが延出片部５３ｆと係脱可能に係合し、延出片部５３ｆを係止片部５９ｃと下方枠部５２Ｕとの間に挟持して、ガラスアッセンブリ５５を鉛直下方に垂下させた取付位置に係止保持可能になっている。
【００７２】
そして、このようにガラスアッセンブリ５５が取付位置に係止保持されると、保護フレーム５３の下辺と下方枠部５２Ｕの支持面との間が前方の支持片部５３ｅおよび後方の延出片部５３ｆにより隙間なく閉鎖され、窓口５１ａの前面側から保護フレーム５３と下方枠部５２Ｕとの隙間に針金や薄板を挿入して遊技盤２０に悪戯するような不正行為を効果的に防止することができる。このような延出辺部は保護フレーム５３の左右辺部にも設けることができ、上記効果をさらに向上させることが可能である。
【００７３】
なお、指掛け部５９ｍは係止片部５９ｃの後面にリブ状に形成されてロックレバー５９の回動操作を容易化するとともに、リブの作用により前後方向への押圧力に対する抗力を高めた構成になっている。また、ロックレバー５９は、上記のようにガラスアッセンブリ５５を係止保持させた状態で、カラー部５９ａの後端が後方の保護シート面５３ｔよりも後方に突出しないように構成されており（逆説的には、カラー部５９ａの後端が後方の保護シート面５３ｔよりも後方に突出しないようにカラー部５９ａおよび係止片部５９ｃを設定し、これに合わせて延出片部５３ｆの形成位置、および下方枠部５２Ｕの支持面の後端位置を設定しており）、対峙する遊技盤や収容枠等に影響を与えないコンパクトな構成になっている。
【００７４】
さて、以上では窓口５１ａの下部に設けられたロックレバー５９を主体とする係止保持機構について説明したが、窓口５１ａの左右には上記ロックレバー５９と異なる形態のロックアーム５８を主体とする係止保持機構が設けられている。
【００７５】
ロックアーム５８は、窓枠５１から後方に突出して成型された支持ボス５１ｃに嵌合して支持ボス５１ｃの軸周りに回動可能に支持される円筒状のカラー部５８ａと、このカラー部５８ａから軸直交方向に突出する板状のアーム部５８ｂ、アーム部５８ｂに下方に突出形成されて吊り下げ支持されたガラスアッセンブリ５５のアーム係合片５５ｂと係合可能な係止突起５８ｃ、アーム部５８ｂの基端側に形成された操作つまみ部５８ｍ等からなり、上述したロックレバー５９と同様の樹脂材料を用い同様の成形手段で各図に示す形態に形成される。
【００７６】
ロックアーム５８は、カラー部５８ａを支持ボス５１ｃに嵌合させ、カラー部５８ａの後方からネジ６４を挿通させて支持ボス５１ｃに螺合締結することで、支持ボス５１ｃの軸まわりに回動可能に取り付けられ、アーム部５８ｂが上下揺動可能に支持される。一方、保護フレーム５３の左右辺には、溝間凹部５３ｂから左右外方に突出するアーム係合片５５ｂが形成され、このアーム係合片５５ｂに係止突起５８ｃを受容して係合可能な突起係合孔５５ｃが形成されている。
【００７７】
ロックアーム５８におけるアーム部５８ｂは、その前後方向の厚さが保護フレーム５３に形成された溝間凹部５３ｂの溝幅よりも小さく設定されるとともに、アーム部前面（窓口に向かう面）の配設位置は、ガラスアッセンブリ５５を吊り下げ支持させた状態における溝間凹部５３ｂの前面（後ろ向き面）の配設位置と整合して形成されており、ガラスアッセンブリ５５を吊り下げ支持させた状態でロックアーム５８を枠部内方に揺動させたときに、アーム先端部が切り欠き部５２ｅを通って溝間凹部５３ｂに嵌入し、アーム部５８ｂの前面が溝間凹部５３ｂの前面と係合するようになっている。
【００７８】
また、アーム部５８ｂのアーム長さおよび先端部の形状は、上記のようにロックアーム５８の先端部を溝間凹部５３ｂに嵌入させたときに、先端面が溝間凹部５３ｂの溝底面と滑らかに係合し、アーム部５８ｂの下面がアーム係合片５５ｂの上面と係合してアーム部５８ｂが水平になるまで揺動させたときに、アーム先端面が溝間凹部５３ｂの溝底面をわずかに枠部内方に押圧するように形成されている。アーム部５８ｂの下面に突出形成された係止突起５８ｃは、アーム係合片５５ｂの突起係合孔５５ｃと位置整合して形成されるとともに、前後方向および左右方向にテーパ面を有して楔状に形成されており、上記のようにアーム部５８を揺動させたときに係止突起５８ｃが突起係合孔５５ｃと滑らかにかつ緊密に係合し、アーム部５５ｂと溝間凹部５３ｂとの係合に併せてガラスアッセンブリ５５を前後左右方向に固定保持する。
【００７９】
一方、左右の枠部に形成された切り欠き部５２ｅは、ガラスアッセンブリ５５を吊り下げて前方に揺動させたときのアーム係合片５５ｂの揺動軌跡、およびロックアーム５８の揺動軌跡に合わせて形成されており、ガラスアッセンブリ５５を上方に移動させるような押圧力が作用したときに、アーム係合片５５ｂの上面が切り欠き部５２ｅの下向きの開口端面に当接し、ガラスアッセンブリの上動が規制されるようになっている。これにより、ガラスアッセンブリ５５が前後、左右および上下の全方向に係止保持される。なお、ロックアーム５８を支持ボス５１ｃに枢支させるネジ６４を締め込むことで、ロックアーム５８による係止保持効果をさらに高めることも可能である。
【００８０】
さて、以上のように各部構成されるガラス支持機構５０を利用してガラスアッセンブリ５５を装着し係止保持させる場合の作用について、図１２（Ａ）（Ｂ）を主として参照しながら説明する。ここで、図１２（Ａ）は吊掛機構を利用してガラスアッセンブリ５５を固定支持枠５２に係合支持させる過程を示す側面図、図１２（Ｂ）は吊り下げ支持させたガラスアッセンブリ５５を係止保持機構により係止させた状態を示す側面図（ともに部分断面図を含む）である。
【００８１】
作業者は、前述した扉開放保持機構４０によりガラス扉５を例えば９０度の開放角度に固定保持させておく。これにより、ガラスアッセンブリ５５の着脱作業時に作用する外力でガラス扉５が揺動してしまうようなことがなく、安定した開放姿勢でガラスアッセンブリの着脱作業を行うことができる。また、予めロックアーム５８およびロックレバー５９を回動させてアーム部５８ｂおよび係止片部５９ｃを固定支持枠５２の枠部外方に待避させておき、把持ハンドル部５７ｍを把持してガラスアッセンブリ５５をガラス扉５の背面位置まで運搬する。
【００８２】
次いで、把持ハンドル部５７ｍを利用してガラスアッセンブリ５５を持ち上げるとともに保護フレーム５３の下縁に手を添えてガラスアッセンブリをやや前傾姿勢に支持し、固定支持枠５２の背面側からガラスアッセンブリ５５の上部を斜めに枠内に挿入する。そして、把持ハンドル部５７ｍの左右に位置する支軸部５７ｂを吊支フック部５２ｂの開口部に係合させ、支軸部５７ｂに嵌着された左右のスナップリング６２を吊支フック部５２ｂの外側縁部に係合させた状態で、ガラスアッセンブリ５５を緩やかに斜め前方に下動させ、支軸部５７ｂを吊支フック部５２ｂに嵌合接続させる。
【００８３】
既述したように、支軸部５２ｂに嵌着された左右のスナップリング６２は、吊支フック部５２ｂの外側縁部を挟持するように係合して固定支持枠５２に対するガラスアッセンブリ５５の左右方向位置を位置決めするように設定されており、左右の支軸部５７ｂを吊支フック部５２ｂに係合させることにより、ガラスアッセンブリ５５が上部において上下および左右方向に位置決めされる。またこのようにして左右の支軸部５７ｂを吊支フック部５２ｂに係合させて支持させることで、ガラスアッセンブリ５５の荷重の大部分が掛止ブラケット５６、掛止シャフト５７および吊支ブラケット５２Ｔからなる吊掛機構に支持され、作業者は重力に従って前方に揺動しようとするガラスアッセンブリ５５を軽く支えるだけの軽作業で以降の装着作業を進めることができる。
【００８４】
作業者はガラスアッセンブリ５５を支える支持力を緩めてガラスアッセンブリを静かに前方に揺動させ、ガラスアッセンブリ５５が窓口５１ａの背後を覆って鉛直に吊り下げ支持される取付位置まで揺動させる。このとき、保護フレーム５３の左右のアーム係合片５５ｂが左右枠部５２Ｌ，５２Ｒの切り欠き部５２ｅ内に進入し、保護フレーム下辺の支持辺部５３ｅが下方枠部５２Ｕの支持面に支持されるとともに、延出辺部５３ｆが支持面の後端縁部に当接してガラスアッセンブリ５５が鉛直に垂下した取付位置に吊り下げ支持される。
【００８５】
こうしてガラスアッセンブリ５５が吊り下げ支持されると、作業者が保護フレーム５３から手を離してもガラスアッセンブリ５５が倒れ出てきたり、掛止シャフト５７と吊支フック部５２ｂとの係合が外れてガラスアッセンブリ５５が固定支持枠５２から脱落したりするようなことがなく、作業者は保護フレーム５３から両手を離して次の作業に移ることができる。
【００８６】
そこで、作業者は枠部外方に待避させていた左右のロックアーム５８を操作つまみ部５８ｍを利用して支持ボス５１ｃまわりに回動させ、アーム部５８ｂの先端部を保護フレームの溝間凹部５３ｂに嵌入させる。このとき、アーム部５８ｂの前面が溝間凹部５３ｂの前面と係合して保護フレーム５３を前後方向に位置決めする。ロックアーム５８をさらに回動させると、アーム部５８ｂの先端面が溝間凹部５３ｂの溝底面と滑らかに係合するとともに、係止突起５８ｃが突起係合孔５５ｃ内に進入する。
【００８７】
そして、ロックアーム５８の下面がアーム係合片５５ｂの上面に当接してアーム部５８ｂが水平になるまで回動されると、左右アーム部の先端面がそれぞれ溝間凹部５３ｂの溝底面をわずかに枠部内方に押圧して保護フレーム５３を左右から挟持するように位置決め固定する一方、係止突起５８ｃが突起係合孔５５ｃと係合し、これら両者が協働するようにしてガラスアッセンブリ５５を前後左右方向に強固に固定保持する。また、このときアーム係合片５５ｂが左右枠部の切り欠き部５２ｅ内に位置して係止され、ガラスアッセンブリ５５の上動が規制される。こうしてガラスアッセンブリ５５が前後、左右および上下の全方向に係止保持される。
【００８８】
また、作業者は保護フレーム５３の下方に位置するロックレバー５９を回動操作して保護フレームの下辺を係止保持させる。作業者は指掛け部５９ｍを利用してロックレバー５９を支持ボス５１ｄまわりに回動操作し、係止片部５９ｃが鉛直上方を向く角度位置まで回動させて、係止片部５９ｃの前面を保護フレームの延出片部５３ｆの後面に係合させる。これにより、保護フレームの延出片部５３ｆが係止片部５９ｃと下方枠部５２Ｕの支持面との間に挟持されガラスアッセンブリ５５が取付位置に係止保持される。
【００８９】
こうしてガラスアッセンブリ５５がロックアーム５９に係止保持されると、保護フレーム５３の下辺と下方枠部５２Ｕの支持面との間が前方の支持片部５３ｅと後方の延出片部５３ｆとにより隙間なく閉鎖され、窓口５１ａの前面側から保護フレーム５３と下方枠部５２との隙間に針金や薄板を挿入して遊技盤２０に悪戯するような不正行為を効果的に防止することができる。
【００９０】
そして、以上のようにしてガラスアッセンブリ５５が固定支持枠５２に前後、左右、および上下に位置決め固定されると、前方のガラス板５４が窓口開口との間に隙間なく配設され（図１１を参照）、ガラスアッセンブリ５５が窓枠５１に強固に固定保持される。
【００９１】
従って、以上説明したようなガラス支持機構５０によれば、前後のガラス板５４が保護フレーム５３部材に係合保持されて一体のガラスアッセンブリ５５が形成され、ガラス板５４の前後面を含む外周縁部全体が保護されるため、ガラス板５４の装着時のみならずガラスアッセンブリ５５の運搬時や着脱作業時等においてもガラス板が機械的損傷から保護される。また、このように一体化されたガラスアッセンブリ５５が窓枠５１の上部に設けられた吊掛機構により、ガラス扉５の背面側から着脱可能に支持されるため、前後２枚のガラス板５４を一工程で窓枠５１に着脱させることができるうえ、窓枠５１の背面側から低い作業位置でガラス板の着脱作業を行うことができ、背の低い作業者や非熟練作業者であっても容易かつ安全にガラス板の着脱作業を行うことができる。また、掛止シャフト５７の中央部に把持ハンドル部５７ｍが形成されているため、ガラスアッセンブリ５５を片手で手持ち運搬し、また着脱作業に利用することができ、両手作業の問題や清掃作業の問題を解決することができる。
【００９２】
さらに、ガラス支持機構５０では、掛止シャフトの支軸部５７ｂを吊支フック部５２ｂに嵌合させるだけでガラスアッセンブリ５５が上下左右方向に位置決めされ、以降はガラスアッセンブリ５５の揺動を軽く支えるだけの軽作業で以降の装着作業を進めることができるため、ガラスアッセンブリ５５の荷重を支持しながら位置合わせをしたり、片手でガラスアッセンブリ５５を支えながら固定操作する等の必要がなく、ガラス板の着脱作業を全体的に容易化して作業性が良好なガラス支持機構を提供することができる。
【００９３】
なお、以上説明した実施例では、ガラスアッセンブリ５５を固定支持枠５２に吊り下げ支持させた後、ロックアーム５８を先に固定操作し、次いでロックレバー５９を固定操作する例を示したが、固定順序は任意であり上例と逆順であってもよい。また、実施例ではロックアーム５８を主体して構成される係止保持機構と、ロックレバー５９を主体として構成される係止保持機構の両方を設けた例を示したが、これら二つの係止保持機構のいずれか一方を設ける構成であってもよい。なお、ロックレバー５９のみを設ける構成とする場合には、例えば、図８中に二点鎖線で付記するように、保護フレーム５３の左右辺の下部に左右枠部５２Ｌ，５２Ｒの内寸に合わせた位置決め突起５５ｓを形成することで、ガラスアッセンブリ下部の左右方向の位置決めを行うとともに、振動等に対してもガタなくアッセンブリを支持させることができる。このとき、位置決め突起５５ｓの前端角部をテーパ状ないしＲ状に形成することで、ガラスアッセンブリを滑らかに固定支持枠５２に収容させて位置決めさせることができる。
【００９４】
次に、第２実施例のガラス支持機構７０について、図１３〜図１５を参照しながら説明する。ここで、図１３はガラス支持機構７０の主要部を分解状態で示す斜視図、図１４はガラス支持機構７０における吊掛機構および仮止め機構を主として示す背面図、図１５（Ａ）（Ｂ）はガラス支持機構７０の作用を示す側面図であって、このうち図１５（Ａ）は吊掛機構を利用してガラスアッセンブリ７５を固定支持枠７２に係合支持させる過程を示す側面図、図１５（Ｂ）は吊り下げ支持させたガラスアッセンブリ７５を係止保持機構により係止させた状態を示す側面図（ともに部分断面図を含む）である。なお、窓枠５１や保護フレーム５３等の基本的な構成は既述したガラス支持機構５０と同様であるため同様の構成部分に同一番号を付して重複説明を省略し、ガラス支持機構５０と異なる部分の構成を中心に詳細説明する。
【００９５】
ガラス支持機構７０は、窓口５１ａの周囲を取り囲むように窓枠５１にねじ固定された固定支持枠７２、前後２枚のガラス板５４，５４の外周縁部と係合してこれらのガラス板を所定の間隔をおいて保持し一体のガラスアッセンブリ７５を形成させる保護フレーム５３、窓枠５１の上部に設けられた吊支部材（吊支シャフト７２ｂ）および保護フレーム５３の上部に設けられて吊支部材と係脱可能な掛止部材（掛止ブラケット７６）を有して係止部材を吊支部材に係合させた係合状態でガラスアッセンブリ７５を窓口５１ａの背後で前後に傾動可能に吊り下げ支持する吊掛機構、窓枠５１の下部に設けられて吊り下げ支持された保護フレーム５３の下縁部と係脱可能に係合しガラスアッセンブリ７５を取付位置に仮止め支持する仮止め機構（仮止めフック７７）、および窓枠５１の左右に設けられて吊り下げ支持された保護フレーム５３と係脱可能に係合しガラスアッセンブリ７５を取付位置に係止させる係止保持機構（第１ロックアーム７８、第２ロックアーム７９等）などからなり、掛止部材にガラスアッセンブリを片手で手持ち運搬可能な把持構造が形成されて構成されている。
【００９６】
固定支持枠７２は、それぞれＬ字状に曲げ成形されて後方に延びる支持面が形成された下方枠部７２Ｕ、左方枠部７２Ｌおよび右方枠部７２Ｒからなり、各枠部材が既述した固定支持枠５２と同様の加工手段により図示する形態に加工されたのち、窓口５１ａの周囲を取り囲むように窓枠５１の背面にねじ固定される。
【００９７】
左右枠部７２Ｌ，７２Ｒにおける取付面には、窓枠５１に一体成型されて後方に突出する円筒状の支持ボス５１ｃを挿通させる円孔が穿設され、支持面にはこの支持ボス５１ｃに揺動自在に支持される第１ロックアーム７８および保護フレーム５３における固定フランジ７５ｂの揺動軌跡に合わせて、これらを導入する第１切り欠き部７２ｅが形成されている。また、第１切り欠き部７２ｅの上方には保護フレームの固定フック７５ｆの揺動軌跡に合わせて固定フック７５ｆを受容する第２切り欠き部７２ｆが形成されている。
【００９８】
左右枠部７２Ｌ，７２Ｒにおける支持面の上端部には、詳細図示省略する円孔が穿設され、左右枠部を結んで所定線径の吊支シャフト７２ｂがリベット８２により締結固定されている。吊支シャフト７２ｂの長さ寸法は左右枠部７２Ｌ，７２Ｒの内面間隔と同一寸法に形成されており、後述する吊掛機構における吊支部材として作用するほか、上記のように左右の枠部を適正な間隔に保持して連結させ、左右枠部に作用する外力に抗して固定支持枠７２を補強する補強杆としても機能する。
【００９９】
固定支持枠７２に支持されるガラスアッセンブリ７５は、前後２枚のガラス板５４と、これらのガラス板５４の外周縁部と係合してガラス板を保護するとともに、前後のガラス板を所定の間隔を保持して一体のアッセンブリ化させる保護フレーム５３とを主体に構成される。保護フレーム５３は内周側にガラス板５４を受容支持する前後２列のガラス溝５３ａ、前後の溝間を所定間隔に保持するスペーサ部およびその外周側に形成される溝間凹部５３ｂ、前方ガラス溝の前面側および後方ガラス溝の背面側に設けられて収容されたガラス板５４の前面および背面を保護する前後の保護シート面５３ｓ，５３ｔなどを有して外郭方形のフレーム状に形成され、前述した保護フレーム５３と略同様に形成される。
【０１００】
保護フレーム５３の上辺および左右辺の溝間凹部５３ｂには、既述したと同様に円筒状のネジボス５３ｃが形成され、その中心に溝間凹部の深さを利用してネジの嵌合長さを確保したネジ受容穴５３ｈが形成されている（図８を参照）。そして、これらのネジ受容穴５３ｈを利用して保護フレーム５３の上部に掛止ブラケット７６がネジ固定される。
【０１０１】
掛止ブラケット７６は、保護フレーム５３の前後方向厚さと略同一の板幅で左右方向に延びるプレート部７６ａ、プレート部７６ａの中間領域が曲げ起こされて上方に突出する掛止フック部７６ｂ、および曲げ起こされた立設辺の中央部に形成された把持ハンドル部７６ｍなどを主体として構成され、固定支持枠と同様の金属材料を用いて同様の加工手段で加工成形して構成される。
【０１０２】
プレート部７６ａは、その左右側部が保護フレーム５３の左右方向幅に合わせて下方に曲げ成形され、保護フレーム５３の上部を取り囲むコの字状に形成されるとともに、各辺には保護フレーム５３に形成されたネジ受容穴５３ｈと位置整合してサラコネジ６３を挿通させるサラモミ孔が穿設されており、プレート部７６ａを保護フレーム５３の上部に係合させてサラコネジ６３を螺合させることにより保護フレーム５３の上部にネジ固定される。一方、左方枠部７２Ｌと右方枠部７２Ｒとの内面間隔は掛止ブラケット７６の外形幅寸法よりもわずかに大きい程度の寸法に設定されており、このような構成により、左右枠部７２Ｌ，７２Ｒの内面間隔を掛止ブラケット７６の外形寸法とほぼ同一寸法まで縮小させて保護フレーム５３と左右枠部との間の隙間を低減させるとともに、掛止ブラケット７６を吊り下げ支持させるだけでガラスアッセンブリ７５を左右方向に位置決め可能に構成されている。なお、前述した吊掛機構と同様に吊支シャフト７２ｂにスナップリング（６２、図８及び図９を参照）を嵌着してガラスアッセンブリ７５の左右方向の位置決めを行うように構成してもよい。
【０１０３】
プレート部７６ａの左右中間領域は、中央部が打ち抜き成型されたうえ上方に折り曲げられてアーチ状に形成され、その上端部が吊支シャフト７２ｂの軸径に合わせて半円弧状に巻き込まれて斜め下方に開くハンガー状の掛止フック部７６ｂ、および左右の立設辺の間に把持可能な把持ハンドル部７６ｍが形成される。これにより、作業者が中央の把持ハンドル部７６ｍを把持して片手でガラスアッセンブリ７５を吊り下げ支持し、持ち運び、着脱作業等を行うことができるとともに、図１５に示すように下方に開いた開口部を吊支シャフト７２ｂにあてがって斜め下方に押圧することで、掛止フック部７６ｂを吊支シャフト７２ｂに嵌合接続させ、ガラスアッセンブリ７５を前後に揺動可能に吊り下げ支持させることができる。
【０１０４】
このように掛止ブラケット７６が取り付けられる保護フレーム５３の上辺に対して、保護フレーム５３の下辺には、下方に突出して左右に延びるリブ状の支持辺部５３ｅおよび延出片部５３ｆが形成され、その下方には吊掛機構に吊り下げ支持されたガラスアッセンブリ７５を取付状態に仮止め支持する仮止めフック７７が左右対称に２カ所設けられている。
【０１０５】
支持辺部５３ｅは、溝間凹部５３ｂの前方壁面が下方に延出されて形成され、その突出高さは、掛止フック部７６ｂを吊支シャフト７２ｂに係合させてガラスアッセンブリ７５を吊り下げ支持させたときに、支持辺部５３ｅの下端面の配設高さ位置が下方枠部７２Ｕの支持面の配設高さ位置と一致するように設定されている。これによりガラスアッセンブリ７５を吊り下げ支持させたときに、支持辺部５３ｅが下方枠部７２Ｕの支持面に支持されて、ガラスアッセンブリ７５が適正な取付高さ位置に位置決めされるとともに、ガラスアッセンブリ７５の荷重が左右の枠部７２Ｌ，７２Ｒと下方枠部７２Ｕとに分散支持されるようになっている（図１５（Ｂ）を参照）。
【０１０６】
延出辺部５３ｆは、後方の保護シート面５３ｔが下方に延出されて形成され、その突出高さは支持辺部５３ｅよりも下方に延びて形成されている。延出辺部５３ｆは、仮止めフック７７の配設位置に整合して一部切り欠かれるとともに、この切り欠き部の前方に溝間凹部５３ｂの後方壁面が下方に延出されて仮止め係合辺部５３ｇが形成され、背面視においてこの領域のみが前方に凹設されたボックス状の形態に形成されている。これにより、仮止めフック７７を係合させてガラスアッセンブリ７５を仮止め支持させたときに仮止めフック７７の先端部がボックス内に収容され、保護シート面５３ｔよりも後方に突出しないようになっている。
【０１０７】
下方枠部７２Ｕの支持面は、この延出辺部５３ｆおよび仮止め係合辺部５３ｇの形態に合わせて形成されており、上記のようにガラスアッセンブリ７５を吊り下げ支持させたときに延出部５３ｆおよび仮止め係合辺部５３ｇの前面が支持面の後端縁部に当接して支持され、後端縁部の後方を覆って下方に延びるように配接される。
【０１０８】
下方枠部７２Ｕの支持面の下側には、上記仮止め係合辺部５３ｇと位置整合して左右対称に仮止めフック７７が設けられている。仮止めフック７７は、窓枠５１に形成された支持ボス５１ｅを利用して下方枠部７２Ｕの取付面にネジ固定される固定部７７ａ、固定辺部７７ａの先端側が直角に折り曲げられて下方枠部７２Ｕの支持面と平行に後方に延びるアーム部７７ｂ、アーム部７７ｂの先端側が吊り下げ支持された仮止め係合辺部５３ｇの配設位置に合わせて上方に折り曲げられた係止部７７ｃ、係止部７７ｃの上端側が折り返されて斜め下方に延びる受容面７７ｄなどからなり、所定板厚のバネ鋼板やステンレス鋼板を用いてプレス成形等の公知の成形手段により図示する形状に形成される。
【０１０９】
仮止めフック７７は下方枠部７２Ｕの下部にネジ固定された取付姿勢において、アーム部７７ｂの先端側が上下に弾性変位可能であり、吊支シャフト７２ｂに掛止フック部７６ｂを係合させてガラスアッセンブリ７５を前方に揺動させたときに、仮止め係合片５３ｇが斜面状の受容面７７ｄと係合してアーム部７７ｂを下方に弾性変形させ、仮止め係合辺部５３ｇが下方枠部の支持面と当接するまで揺動されたときに、弾性変形していたアーム部７７ｂが上方に自己復帰して係止部７７ｃが仮止め係合辺部５３ｇと係合し、仮止め係合辺部５３ｇを下方枠部７２Ｕと係止部７７ｄとの間に挟持して、ガラスアッセンブリ７５を鉛直下方に垂下させた取付位置に仮止め可能に構成されている。
【０１１０】
そして、このようにガラスアッセンブリ７５が仮止め支持されると、後方への押圧力に抗してガラスアッセンブリ７５が窓口５１ａの背後を覆う取付位置に仮止めされるとともに、保護フレーム５３の下辺と下方枠部７２Ｕの支持面との間が前方の支持辺部５３ｅおよび後方の延出片部５３ｆにより隙間なく閉鎖され、窓口５１ａの前面側から保護フレーム５３と下方枠部７２との隙間に針金や薄板を挿入して遊技盤２０に悪戯するような不正行為を効果的に防止することができる。
【０１１１】
さて、窓口５１ａの左右には吊支シャフト７２ｂに吊り下げ支持されたガラスアッセンブリ７５を固定支持枠７２に固定する係止保持機構が設けられている。図１３および図１５では、左右枠部７２Ｌ，７２Ｒの取付面と平行な面内で上下揺動可能な第１ロックアーム７８を主体とする第１係止保持機構と、左右枠部７２Ｌ，７２Ｒの支持面と平行な面内で上下揺動可能な第２ロックアーム７９を主体とする第２係止保持機構との二つの形態の係止保持機構を左右枠部の上下に分けて例示している。
【０１１２】
第１係止保持機構は、保護フレーム５３の左右に設けられた固定フランジ７５ｂおよびロックピン７５ｐと、これらと係脱可能に係合する第１ロックアーム７８とを主要構成部材として構成される。前後の固定フランジ７５ｂは溝間凹部５３ｂを挟んでそれぞれ左右側方に張り出し形成されており、前後の固定フランジ７５ｂを結んでロックピン７５ｐが圧入固定されている。
【０１１３】
第１ロックアーム７８は、窓枠５１から後方に突出成型された支持ボス５１ｃに嵌合して回動可能に支持される円筒状のカラー部７８ａと、このカラー部７８ａから軸直交方向に突出する板状のアーム部７８ｂ、アーム部７８ｂに形成されてガラスアッセンブリ７５のロックピン７５ｐと係合可能な円弧形態の係止溝７８ｐ、アーム部７８ｂの基端側に形成された操作つまみ部７８ｍ等からなり、既述したロックアーム５８と同様の樹脂材料を用いて同様の成形手段で形成される。第１ロックアーム７８はカラー部７８ａを支持ボス５１ｃに係合させて、カラー部７８ａの後方からネジ８４を挿通させて支持ボス５１ｃに螺合締結することで、支持ボス５１ｃの軸まわりに回動可能に取り付けられ、アーム部７８ｂが上下揺動可能に支持される。
【０１１４】
第１ロックアーム７８におけるアーム部７８ｂは、その前後方向の厚さが溝間凹部５３ｂの溝幅よりもわずかに小さめに設定されるとともに、アーム部７８ｂの前後方向の配設位置は、ガラスアッセンブリ７５を吊り下げ支持させて仮止めした状態における溝間凹部５３ｂの配設位置と整合して形成されており、ガラスアッセンブリ７５を吊り下げ支持させた状態で第１ロックアーム７８を枠部内方に揺動させたときに、アーム先端部が切り欠き部７２ｅを通って溝間凹部５３ｂに嵌入し、溝間凹部５３ｂの前後面と係合するようになっている。
【０１１５】
また、アーム部７８ｂのアーム長さおよび先端部の形状は、上記のように第１ロックアーム７８の先端部を溝間凹部５３ｂに嵌入させたときに、先端面が溝間凹部５３ｂの溝底面と滑らかに係合し、ロックピン７５ｐに係止溝７８ｐを係合させてアーム部７８ｂが水平になるまで揺動させたときに、アーム先端部が前後の固定フランジ７５ｂ間に挟持されるとともに、アーム先端面が溝間凹部５３ｂの溝底面をわずかに枠部内方に押圧してガラスアッセンブリ７５を前後左右に係止保持するように形成されている。
【０１１６】
一方、左右の枠部に形成された第１切り欠き部７２ｅは、ガラスアッセンブリ７５を吊り下げて前方に揺動させたときの固定フランジ７５ｂの揺動軌跡、および第１ロックアーム７８の揺動軌跡に合わせて形成されており、ガラスアッセンブリ７５を上方に移動させるような押圧力が作用したときに、固定フランジ７５ｂの上端面が切り欠き部７２ｅの開口端面に当接し、ガラスアッセンブリの上動が規制されるようになっている。これにより、ガラスアッセンブリ７５が前後、左右および上下の全方向に係止保持される。
【０１１７】
このような構成により、ガラスアッセンブリ７５を吊り下げ支持させて、左右の第１ロックアーム７８をそれぞれのアーム部７８ｂが水平になる角度位置まで揺動させたときに、アーム部先端が溝間凹部５３ｂ内に嵌入して左右内側に緩く押圧するように係合し、ガラスアッセンブリ７５が前後方向および左右方向に位置決めされて取付位置に係止保持される。
【０１１８】
なお、第１ロックアーム７８を支持ボス５１ｃに枢支させるネジ８４を締め込むことで、第１ロックアーム７８による係止保持効果を高めることが可能である。また、ロックピン７５ｐに代えて前後の固定フランジ７５ｂ，７５ｂを結ぶロックネジを螺合させ、ロックネジを締め込んで第１ロックアーム７８を前後の固定フランジ間に挟持固定するように構成してもよく、このような構成により上記係止保持の効果をさらに強固にすることも可能である。
【０１１９】
次に、第２係止保持機構は、保護フレーム５３の左右に設けられた固定フック７５ｆと、この固定フック７５ｆと係脱可能に係合する第２ロックアーム７９とを主要構成部材として構成される。固定フック７５ｆは溝間凹部５３ｂの後側に位置して左右側方に張り出し形成されており、上方に開いた係止溝を有してＬ字状に形成されている。
【０１２０】
第２ロックアーム７９は、左方枠部５２Ｌおよび右方枠部５２Ｒの支持面にリベット締結されて回動可能に支持される円筒状のカラー部７９ａと、基端側にカラー部が固着されて回動軸と直交方向に延びるアーム部７９ｂ、アーム部７９ｂの先端側に形成されて上記固定フック７５ｆと係合可能なフック部７９ｆ、アーム部７９ｂから左右外方に折り曲げ形成された操作つまみ部７９ｍ等からなり、所定板厚の冷間圧延鋼板等を打ち抜き、曲げ成型、並びにカシメ加工して図示する形態に形成した後所要の表面処理を施して形成され、左右枠部の支持面に上下に揺動可能にリベット締結される。
【０１２１】
第２ロックアーム７９におけるフック部７９ｆは、ガラスアッセンブリ７５を吊り下げ支持させて仮止めした状態における固定フック７５ｆの配設位置と整合して形成されており、ガラスアッセンブリ７５を吊り下げ支持させた状態で第２ロックアーム７９を後方に揺動させたときに、フック部７９ｆが固定フック７５ｆと相互に係合してガラスアッセンブリ７５を前後方向および左右方向に係止保持可能に形成されている。
【０１２２】
また、左右枠部に形成された第２切り欠き部７２ｆは、図１５（Ａ）に示すように、掛止ブラケット７６の掛止フック部７６ｂを吊支シャフト７２ｂに当接させて係合させる高さ位置において、固定フック７５ｆを受容し得るように形成される一方、ガラスアッセンブリ７５を鉛直に吊り下げ支持させたときには固定フック７５ｆの前面と当接して第２ロックアームのフック部７９ｆとの間に固定フック７５ｆを挟持固定するように形成されており、ガラスアッセンブリの係脱操作を容易化しつつ強固な固定保持が可能な構成になっている。
【０１２３】
さて、以上のように構成されるガラス支持機構７０を利用してガラスアッセンブリ７５を装着し係止保持させる場合の作用について、図１５を参照しながら説明する。
【０１２４】
作業者は、予め扉開放保持機構４０によりガラス扉５を例えば９０度の開放角度に固定保持させるとともに、第１ロックアーム７８および第２ロックアーム７９を回動させてアーム部７８ｂ，７９ｂを上方に起立させ、固定フランジ７５ｂおよび固定フック７５ｆの揺動軌跡の外側に待避させておき、把持ハンドル部７６ｍを把持してガラスアッセンブリ７５をガラス扉５の背面位置まで運搬する。
【０１２５】
次いで、把持ハンドル部７７ｍを利用してガラスアッセンブリ７５を持ち上げるとともに保護フレーム５３の下縁に手を添えてガラスアッセンブリをやや前傾姿勢に支持し、固定支持枠７２の背面側からガラスアッセンブリ７５の上部を斜めに枠内に挿入する。そして、図１５（Ａ）に示すように、掛止ブラケットの掛止フック部７６ｂを吊支シャフト７２ｂに当接させ、ガラスアッセンブリ７５を斜め前方に下動させて掛止フック部７６ｂを吊支シャフト７２ｂに嵌合接続させてガラスアッセンブリ７５を支持させる。
【０１２６】
前述したように、左右枠部７２Ｌ，７２Ｒの内面間隔は、掛止ブラケットの外形幅寸法よりもわずかに大きめに形成されており、上記のように掛止ブラケット７６を吊支シャフト７２ｂに嵌合接続させることで、ガラスアッセンブリ７５の上辺部が左右方向に位置決めされる。またこのように嵌合接続させることでガラスアッセンブリ７５の荷重の大部分が掛止ブラケット７６および吊支シャフト７２ｂからなる吊掛機構に支持され、前方に揺動しようとするガラスアッセンブリ７５を軽く支えるだけの軽作業で以降の装着作業を進めることができる。
【０１２７】
作業者はガラスアッセンブリ７５を支える支持力を緩めてガラスアッセンブリを静かに前方に揺動させる。このとき保護フレーム下辺の仮止め係合辺部５３ｇが仮止めフック７７の受容面７７ｄに当接し、この受容面７７ｄを押し下げるように斜面上を滑ってアーム部７７ｂを下方に弾性変形させる。そして、仮止め係合辺部５３ｇが下方枠部７２Ｕの支持面と当接するまで揺動されたときに、仮止め係合辺部５３ｇの下端面との係合が解除され、下方に弾性変形していたアーム部７７ｂが上方に自己復帰して係止部７７ｃが仮止め係合辺部５３ｇの背面と係合し、仮止め係合辺部５３ｇを下方枠部７２Ｕと係止部７７ｄとの間に挟持するように係止保持する。
【０１２８】
そして、このようにガラスアッセンブリ７５が仮止め支持されると、後方への押圧力に抗してガラスアッセンブリ７５が窓口５１ａの背後を覆う取付位置に仮止めされ、作業者が保護フレーム５３から手を離してもガラスアッセンブリ７５が倒れ出てきたり、ガラスアッセンブリ７５が固定支持枠７２から脱落したりするようなことがなく、作業者は保護フレーム５３から両手を離して次の作業に移ることができる。
【０１２９】
また、ガラスアッセンブリ７５が仮止め支持されると、保護フレーム５３の左右の固定フランジ７５ｂが左右枠部７２Ｌ，７２Ｒの第１切り欠き部７２ｅ内に進入して第１ロックアーム７８と係合可能に位置決め配設され、固定フック７５ｆが第２切り欠き部７２ｆ内に進入して第２ロックアーム７９と係合可能に位置決め配設される。
【０１３０】
そこで、作業者は上向きに起立待避させていた左右の第１ロックアーム７８を操作つまみ部７８ｍを利用して支持ボス５１ｃまわりに回動させ、アーム部７８ｂの先端部を保護フレームの溝間凹部５３ｂに嵌入させる。このとき、アーム部先端面が溝間凹部５３ｂの溝底面と滑らかに係合し、アーム部７８ｂが水平になるまで揺動させたときに、アーム先端部が前後の固定フランジ７５ｂ間に挟持されるとともに、左右のアーム先端面がそれぞれ溝間凹部５３ｂの溝底面をわずかに枠部内方に押圧してガラスアッセンブリ７５を左右から挟み込むように係止し、ガラスアッセンブリ７５を前後左右に位置決めして固定保持する。またこのとき固定フランジ７５ｂが左右枠部の切り欠き部５２ｅ内に位置して係止され、ガラスアッセンブリ７５の上動が規制される。こうしてガラスアッセンブリ７５が前後、左右および上下の全方向に係止保持される。
【０１３１】
また、作業者は上向きに起立待避させていた左右の第２ロックアーム７９を操作つまみ部７９ｍを利用して回動させ、先端のフック部７９ｆを固定フック７５ｆに係合させる。これにより固定フック７５ｆが第２切り欠き部７２ｆとフック部７９ｆとの間に挟持固定され、ガラスアッセンブリ７５が前後左右方向に係止保持される。
【０１３２】
こうしてガラスアッセンブリ７５が第１ロックアーム７８、第２ロックアーム７９に係止保持されると、保護フレーム５３の下辺と下方枠部７２Ｕの支持面との間が前方の支持片部５３ｅと後方の延出片部５３ｆとにより隙間なく閉鎖され、窓口５１ａの前面側から保護フレーム５３と下方枠部７２との隙間に針金や薄板を挿入して遊技盤２０に悪戯するような不正行為を効果的に防止する。
【０１３３】
そして、以上のようにしてガラスアッセンブリ７５が固定支持枠７２に前後、左右、および上下に位置決め固定されると、前方のガラス板５４が窓口開口との間に隙間なく配設され、ガラスアッセンブリ７５が窓枠５１に強固に固定保持される。
【０１３４】
従って、以上説明したようなガラス支持機構７０によっても、前述したガラス支持機構５０と同様に、ガラス板５４の装着時のみならずガラスアッセンブリ７５の運搬時や着脱作業時等においてもガラス板が機械的損傷から保護される。また、一体化されたガラスアッセンブリ７５がガラス扉５の背面側から着脱可能に支持されるため、前後２枚のガラス板５４を一工程で窓枠５１に着脱させることができるとともに、低い作業位置でガラス板の着脱作業を行うことができ、背の低い作業者や非熟練作業者であっても容易かつ安全にガラス板の着脱作業を行うことができる。また、掛止ブラケット７６の中央部に把持ハンドル部７６ｍが形成されているため、ガラスアッセンブリ７５を片手で手持ち運搬し、また着脱作業に利用することができ、両手作業の問題や清掃作業の問題を解決することができる。
【０１３５】
さらに、ガラス支持機構７０では、掛止ブラケット７６の掛止フック部７６ｂを吊支シャフト７２ｂに嵌合連結させた後は、ガラスアッセンブリ７５の揺動を軽く支えるだけの軽作業で以降の装着作業を進めることができるため、ガラスアッセンブリ７５の荷重を支持しながら位置合わせをしたり、片手でガラスアッセンブリ７５を支えながら固定操作する等の必要がなく、ガラス板の着脱作業を全体的に容易化して作業性が良好なガラス支持機構を構成することができる。
【０１３６】
なお、実施例では、第１ロックアーム５８を主体して構成される係止保持機構を窓口５１ａの左右下方に設け、第２ロックアーム７９を主体として構成される係止保持機構を窓口５１ａの上方に設けた例を示したが、これら二つの係止保持機構の配設位置は上下逆であってもよく、またいずれか一方の係止保持機構を設ける構成であってもよい。また実施例では吊支シャフト７２ｂを左右枠部にリベット締結した例を示したが、図１３中に二点鎖線で付記するように上方に開く吊支溝７２ｃを形成して吊支シャフト７２ｂを吊り下げ支持させ、あるいは吊支シャフト７２ｂの両端にネジ部を形成して吊り下げ支持させた吊支シャフトを左右枠部７２Ｌ，７２Ｒにナット締結させるように構成してもよい。
【０１３７】
次に、第３実施例のガラス支持機構９０について、図１６を参照しながら説明する。ここで、図１６はガラス支持機構９０における吊掛機構および係止保持機構を主として示す背面図である。なお窓枠５１や保護フレーム５３等の構成は既述したガラス支持機構５０，７０と同様であるため同様の構成部材に同一番号を付して重複説明を省略し、また窓口５１ａの左右に配設される係止保持機構は既述したいずれの係止保持機構を用いてもよいため記載を省略して、既述したガラス支持機構と異なる吊掛機構及び係止保持機構の構成を中心に簡潔に説明する。
【０１３８】
本実施例に示す吊掛機構は、保護フレーム５３の上部にネジ固定される掛止ブラケット９１、掛止ブラケット９１に回動可能に係合される掛止シャフト９２、固定支持枠７２における左右枠部７２Ｌ，７２Ｒ（または、固定支持枠５２における左右枠部５２Ｌ，５２Ｒ。以下同様）の支持面上端に形成された吊支溝７２ｃ（図１３を参照）などからなり、掛止シャフト９２にガラスアッセンブリ９５を片手で手持ち運搬可能な把持構造が形成されて構成されている。
【０１３９】
掛止ブラケット９１は、保護フレーム５３の前後方向厚さと略同一の板幅で左右方向に延びるプレート部９１ａ、プレート部が切り起こされて上方に突出する左右２カ所のフランジ部９１ｂを主体として構成され、固定支持枠７２と同様の金属材料を用いて同様の加工手段で形成される。またプレート部９１ａは、既述した各掛止ブラケットのプレート部と略同様に保護フレーム５３の上部を取り囲むコの字状に形成され、プレート部９１ａを保護フレーム５３の上部に係合させて、各辺に形成されたサラモミ孔を通してネジ受容穴５３ｈにサラコネジ６３を螺合締結させることで、保護フレーム５３の上部に固定される。
【０１４０】
プレート部９１ａから上方に突出する左右のフランジ部９１ｂには、掛止シャフト９２の軸部外径に合わせた軸支孔が形成されており、左右の軸支孔を通して掛止シャフト９２を軸支させることで、掛止シャフト９２を軸まわりに回動自在に支持し得るようになっている。
【０１４１】
掛止シャフト９２は、所定外径を有して左右に延びるシャフト部９２ａと、このシャフト部９２ａの左右端部が左右枠部５２Ｌ，５２Ｒの支持面間隔（左右の枠部の内面間隔）に合わせて小径に段落としされて形成されたショルダ部９２ｂ、シャフト部が段落としされてシャフト部よりも小径に形成された支軸部９２ｃ、支軸部９２ｃの両端部に形成されたネジ部、シャフト部９２ａの中間領域がクランク状に折り曲げられて形成された把持ハンドル部９２ｍなどを主体として構成され、既述した掛止シャフト５７と同様の金属棒材を用いて同様の加工手段により形成される。
【０１４２】
掛止シャフト９２の左右のシャフト部９２ａには、フランジ部９１ｂの形成位置と整合してスナップリング溝が形成されており、一方の支軸部９２ｃ、例えば図１６における左側フランジ部の支軸孔に左端側の支軸部を挿通させ、折り返し右側フランジ部の支軸孔に右側の支軸部を挿通させたうえ、掛止シャフトを中央に位置させ、左右フランジ部の両外側に位置するスナップリング溝にスナップリング９３を嵌着させることで、掛止シャフト９２が掛止ブラケット９１にラジアル方向にのみ回動自在に軸支される。
【０１４３】
こうして軸支された掛止シャフト９２は、左右のフランジ部９１ｂ，９１ｂを挟持するようにシャフト部９２ａに嵌着された左右のスナップリング９３，９３の作用によりスラスト方向（左右方向）への移動が規制され、掛止シャフト両端のショルダ部９２ｂ，９２ｂおよび支軸部９２ｃ，９２ｃがガラスアッセンブリ９５に対して左右対称かつ所定の高さ位置に配設される。なお、上記のような嵌着形態のスナップリング９３に代えて左右のシャフト部にカシメ圧着形態の係止リングを固着させて掛止シャフト９２を支持させる形態としてもよい。
【０１４４】
一方、左右枠部７２Ｌ，７２Ｒの支持面上端には、掛止シャフト９２の支軸部９２ｃを受容して係合支持可能なＵ字状の吊支溝７２ｃが上方に開いて形成されている。吊支溝７２ｃの溝幅は、上端の開口部で支軸部９２ｃの外径よりも大きく、下端の溝底部で支軸部９２ｃの外径と同一径の半円弧状に形成され、その溝底部の形成位置は、掛止シャフト９２を係合支持させたときに、掛止シャフト９２に吊り下げ支持されたガラスアッセンブリ９５が窓口５１ａの背後を覆う適正な取付位置に配設され、ナット９４を締め込むことで掛止シャフト９２を固定可能になっている。
【０１４５】
また、上記のように掛止ブラケット９１および掛止シャフト９２が取り付けられる保護フレーム５３の上辺に対して、保護フレーム５３の下辺には、下方に突出して左右に延びるリブ状の支持辺部５３ｅおよび延出片部５３ｆが形成され、その下方には吊掛機構に吊り下げ支持されたガラスアッセンブリ９５を取付状態で固定するロックレバー９６が設けられている。
【０１４６】
ロックレバー９６は、既述したロックレバー５９と同様に、窓枠５１から後方に突出して成型された支持ボス５１ｄ（図１２を参照）に嵌合して軸周りに回動可能に支持される円筒状のカラー部９６ａと、このカラー部９６ａからダイヤピンないしウィングノブ状に軸直交方向に突出する係止片部９６ｃからなり、既述したロックレバー５９と同様の樹脂材料を用いて同様の加工手段により形成される。ロックレバー９６はカラー部９６ａを支持ボス５１ｄに係合させて、カラー部９６ａの後方からネジ９７を挿通させて支持ボス５１ｄに螺合締結することで、支持ボス５１ｄの軸まわりに回動可能に取り付けられ、係止片部９６ｃが回動可能に支持される。
【０１４７】
ここで、係止片部９６ｃの形成位置は、ガラスアッセンブリ９５を吊り下げて延出部５３ｆが下方枠部７２Ｕ支持面の後端縁部に当接するように支持させたときに、係止片部９６ｃの前面（係止面）の配設位置が延出片部５３ｆの背面の配設位置と前後方向に一致するように設定されている。一方、延出辺部５３ｆには、係止辺部９６が鉛直上下方向を向く回動角度位置にあるときにのみ、ロックレバー９６を前後に挿通させ得るレバー溝５３ｉが形成されている。このため、係止辺部９６ｃを上下に位置させた状態で、ガラスアッセンブリ９５を前後に揺動させて着脱させることができ（図１６における右側のロックレバーを参照）、またガラスアッセンブリ９５を吊り下げ支持させてロックレバー９６を回動操作することで係止片部９６ｃがレバー溝５３ｉの周囲の延出片部５３ｆと係合して（図１６における左側のロックレバーを参照）、ガラスアッセンブリ９５を鉛直下方に垂下させた取付位置に係止保持可能になっている。
【０１４８】
なお、ロックレバー９６は、ガラスアッセンブリ９５を係止保持させた状態でカラー部９６ａの後端が後方の保護シート面５３ｔよりも後方に突出しないように構成されており（図１２に記載したロックレバー５９を参照）、ロックレバー９６と対峙する遊技盤や収容枠等に影響を与えないコンパクトな構成になっている。
【０１４９】
以上のように構成されるガラス支持機構９０にあっては、作業者は既述したと同様に予めガラス扉５を例えば９０度の開放角度に固定保持させるとともに、ロックアーム９６を回動させて係止辺部９６ｃが鉛直上下方向を向く回動角度位置に待避させておき、把持ハンドル部９２ｍを把持してガラスアッセンブリ９５をガラス扉５の背面位置まで運搬する。
【０１５０】
次いで、把持ハンドル部７７ｍを利用してガラスアッセンブリ９５持ち上げるとともに保護フレーム５３の下縁に手を添えてガラスアッセンブリをやや前傾姿勢に支持し、固定支持枠７２の背面側からガラスアッセンブリ９５の上部を斜めに枠内に挿入する。そして、ガラスアッセンブリ９５を緩やかに下動させて掛止シャフト９２両端の支軸部９２ｃを左方枠部７２Ｌおよび右方枠部７２Ｒの吊支溝７２ｃに進入させ、支軸部９２ｃを吊支溝７２ｃの溝底面に係合させてガラスアッセンブリ９５を支持させる。
【０１５１】
ここで、掛止シャフト９２の左右端部には左右枠部の内面間隔に合わせて段付き加工されたショルダ部９２ｂが形成されており、左右の支軸部９２ｃを吊支溝７２ｃに係合させることにより、ガラスアッセンブリ９５が上下および左右方向に位置決めされる。またこのようにして左右の支軸部９２ｃを吊支溝７２ｃに係合させて支持させることで、ガラスアッセンブリ９５の荷重の大部分が掛止ブラケット９１、掛止シャフト９２および左右の吊支溝７２ｃからなる吊掛機構に支持され、作業者は重力に従って前方に揺動しようとするガラスアッセンブリ９５を軽く支えるだけの軽作業で以降の装着作業を進めることができる。
【０１５２】
作業者はガラスアッセンブリ９５を支える支持力を緩めてガラスアッセンブリを静かに前方に揺動させ、ガラスアッセンブリ９５が窓口５１ａの背後を覆って鉛直に吊り下げ支持される取付位置まで揺動させる。このとき、保護フレーム下辺の支持辺部５３ｅが下方枠部７２Ｕの支持面に支持されるとともに、延出辺部５３ｆが支持面の後端縁部に当接してガラスアッセンブリ９５が鉛直に垂下した取付位置に吊り下げ支持される。この状態では作業者が保護フレーム５３から手を離してもガラスアッセンブリが倒れ出てきたり、掛止シャフト９２と吊支溝７２ｃとの係合が外れてガラスアッセンブリが脱落したりするようなことがなく、作業者は保護フレーム５３から両手を離して次の作業に移ることができる。
【０１５３】
そこで、作業者は鉛直上下方向の回動角度に待避させていたロックアーム９６を支持ボス５１ｃまわりに回動させ、係止辺部９６ｃをレバー溝５３ｉの周囲の延出片部５３ｆに係合させる。これにより、保護フレームの延出片部５３ｆが係止片部５９ｃと下方枠部７２Ｕの支持面との間に挟持されガラスアッセンブリ９５が取付位置に係止保持される。
【０１５４】
次いで、作業者は支軸部９２ｃ両端のネジ部に螺合されたナット９４を締め込み、シャフト部両端のショルダ部９２ｂとナット９４との間に左右枠部７２Ｌ，７２Ｒを挟み込むようにして掛止シャフト９２を固定する。既述したように、支持シャフト９２の左右のショルダ部９２ｂは左右枠部７２Ｌ，７２Ｒの支持面間隔に合わせて形成されているため、上記のように左右のナット９４を締め込んでも左右枠部を引き込んで変形させるようなことがなく、支持シャフト９２を強固に固定させることができる。また、このように固定された支持シャフト９２は、左方枠部７２Ｌの支持面と右方枠部７２Ｒの支持面とを適正な間隔に保持して連結させ、左右の枠部に作用する外力に抗して固定支持枠を補強する補強杆としても機能する。なお、ナット９４に代えてローレットナットや蝶ナット等を用いる構成としてもよい。
【０１５５】
そして、以上のようにしてガラスアッセンブリ９５が固定支持枠７２に係止保持されると、前方のガラス板５４が窓口開口との間に隙間なく配設されるとともに、保護フレーム５３の下辺と下方枠部７２Ｕの支持面との間が前方の支持片部５３ｅと後方の延出片部５３ｆとにより隙間なく閉鎖され、窓口５１ａの前面側から針金や薄板を挿入して遊技盤２０に悪戯するような不正行為を効果的に防止することができる。
【０１５６】
なお、窓口５１ａの左右には、既述した各ロックアーム５８，７８，７９等いずれの係止保持機構を設けることもできるが、図１６中に二点鎖線で付記するように、保護フレーム５３における左右辺にローレットネジ９８を螺合させるとともに、左右枠部７２Ｌ，７２Ｒにローレットネジの揺動軌跡に合わせて後方に開くネジ受容溝７２ｄを形成し、ローレットネジ９８を締め込むことで、ガラスアッセンブリ９５を固定させるように固定支持機構を構成してもよい。
【０１５７】
従って、以上説明したようなガラス支持機構９０によっても、既述したガラス支持機構５０，７０と同様に、ガラス板の着脱作業を容易化して容易かつ安全にガラス板５４の着脱作業を行うことができるとともに、ガラス板の着脱作業を全体的に容易化して作業性が良好なガラス支持機構を構成することができる。また、掛止シャフト９２の中央部に把持ハンドル部９２ｍが形成されているため、ガラスアッセンブリ９５を片手で手持ち運搬し、また着脱作業に利用することができ、両手作業の問題や清掃作業の問題を解決することができる。
【０１５８】
さらに、ガラス支持機構９０では、掛止シャフト９２を吊支溝７２ｃに係合させるだけでガラスアッセンブリ９５が上下左右方向に位置決めされ、以降はガラスアッセンブリの揺動を軽く支えるだけの軽作業で以降の装着作業を進めることができるため、ガラスアッセンブリの荷重を支持しながら位置合わせをしたり、片手でガラスアッセンブリを支えながら固定操作する等の必要がなく、ガラス板の着脱作業を全体的に容易化して作業性が良好なガラス支持機構を構成することができる。
【０１５９】
なお、以上ではガラス支持機構の実施例ごとに吊掛機構、仮止め機構、係止保持機構の説明を行ったが、これらの各機構は適宜組み合わせを変更して適用可能であることはいうまでもなく、各機構の配設位置を上下変更しあるいは仮止め機構を左右辺に設ける等適宜変更して適用することも可能である。また、以上各実施例においてはパチンコ機のガラス扉に本発明のガラス支持機構を適用した場合について説明したが、本発明は必ずしも開閉可能な扉状の枠体に取り付けるものでなくてもよく、またパチンコ機に限らずガラス板を透視して遊技を行う遊技機、例えばアレンジボール機や、雀球遊技機、パチスロ機、アーケードゲーム機などに対しても同様に適用し同様の効果を得ることができる。
【０１６０】
【発明の効果】
以上説明したように、本発明は、遊技盤を保持する枠部材の前面側に横開き開閉可能に取り付けられた窓枠とこの窓枠の背面側にガラス保持手段を介して窓口開口を塞ぐように取り付けられた少なくとも前後２枚のガラス板とを有してなるガラス扉を備え、ガラス扉が遊技盤の前面を覆うように閉鎖された状態でガラス板を通して遊技盤を透視させ遊技を行う遊技機において、ガラス保持手段に、前後のガラス板の外周縁部と係合して一体のガラスアッセンブリを形成させる保護部材と、窓枠の上部に配設された吊支部材および保護部材の上部に配設されて吊支部材と係脱可能な掛止部材を有してガラスアッセンブリを窓口の背後で前後傾動可能に吊り下げ支持する吊掛機構とを備え、掛止部材を吊支部材に係合させてガラスアッセンブリを吊り下げ支持させることで、ガラスアッセンブリが窓口を塞ぐ取付位置に位置して配設されるように構成するとともに、吊掛機構における掛止部材にガラスアッセンブリを片手で手持ち運搬可能な把持構造を形成してガラス支持機構を構成する。
【０１６１】
このため、外周部が保護された前後２枚のガラス板を一工程で窓枠に着脱させることができるうえ、窓枠の背面側から低い作業位置でガラスアッセンブリの着脱作業を行うことができ、背の低い作業者や非熟練作業者であっても容易かつ安全にガラス板の着脱作業を行うことができる。また、また掛止部材に形成された把持構造を利用してガラスアッセンブリを片手で手持ち運搬することができるため、新たに把持のための部材等を追加して設けることなく両手作業による作業性の問題や油脂等付着による清掃作業の問題等を解決して作業効率や生産性を高めたガラス支持機構を提供することができる。さらに、ガラスアッセンブリを吊り下げ支持させた後は前後方向への揺動を軽く支えるだけの軽作業で以降の装着作業を進めることができるため、ガラスアッセンブリの荷重を支持しながら位置合わせをしたり、片手でガラスアッセンブリを支えながら固定操作する等の必要がなく、ガラス板の着脱作業を全体的に容易化して作業性が良好なガラス支持機構を構成することができる。
【図面の簡単な説明】
【図１】本発明に係るガラス支持機構を備えた遊技機の一例として示すパチンコ機の正面図である。
【図２】ガラス扉と上球皿とを開放した状態のパチンコ機の正面図である。
【図３】ガラス扉を開放した状態で前枠の前方斜め上方から見た扉開放保持機構の分解斜視図である。
【図４】ガラス扉を開放保持させた状態の扉開放保持機構の平面図である。
【図５】ガラス扉を開放保持させた状態の扉開放保持機構の背面図である。
【図６】ガラス扉を閉鎖した状態のパチンコ機の平断面図である。
【図７】ガラスアッセンブリを取り外して分離させた状態で第１実施例のガラス支持機構の概要構成を略示する全体図（背面図）である。
【図８】第１実施例のガラス支持機構の主要部を分解状態で示す斜視図である。
【図９】第１実施例のガラス支持機構における吊掛機構および下方の係止保持機構を主として示す背面図である。
【図１０】第１実施例のガラス支持機構における右側方の係止保持機構を示す背面図である。
【図１１】第１実施例のガラス支持機構における右側方の係止保持機構を示す平断面図である。
【図１２】第１実施例のガラス支持機構の作用を示す説明図であって、（Ａ）図は吊掛機構を利用してガラスアッセンブリを固定支持枠に係合支持させる過程を示す側面図、　（Ｂ）図は吊り下げ支持させたガラスアッセンブリを係止保持機構により係止させた状態を示す側面図である。
【図１３】第２実施例のガラス支持機構の主要部を分解状態で示す斜視図である。
【図１４】第２実施例のガラス支持機構における吊掛機構および仮止め機構を主として示す背面図である。
【図１５】第２実施例のガラス支持機構の作用を示す側面図であって、（Ａ）図は吊掛機構を利用してガラスアッセンブリを固定支持枠に係合支持させる過程を示す側面図、　（Ｂ）図は吊り下げ支持させたガラスアッセンブリを係止保持機構により係止させた状態を示す側面図である。
【図１６】第３実施例のガラス支持機構における吊掛機構および仮止め機構を主として示す背面図である。
【符号の説明】
ＰＡ　遊技領域
ＰＭ　パチンコ機
１　外枠
２　前枠（２ａ　収容枠、２ｂ　遊技補助盤、２ｃ　）
３ａ，３ｂ　ヒンジ部材
４　施錠装置
５　ガラス扉
６　上球皿
７　ヒンジ機構（７ａ　上部ヒンジ機構、７ｂ　中間ヒンジ機構、７ｃ　下部ヒンジ機構）
８　下球皿
９　操作ハンドル
１０　打球発射装置
１１　発射レール
１２　ファール球回収経路
１３　スピーカ
１４　通出口
１５　通出樋
１６　ロック機構
１７　庇部
（１７ａ，１７ｂ　開放保持突起）
２０　遊技盤
４０　扉開放保持機構
（４０Ａ　第１開放保持機構、４０Ｂ　第２開放保持機構）
４１　係止金具
（４１ａ　保持杆部、４１ｂ　旋回軸部、４１ｃ　係止孔部）
４２　ネジ
４６　固定金具
（４６ａ　アーム部、４６ｂ　揺動軸部、４６ｃ　係合溝部）
４７　ネジ
４８　ネジ
５０　ガラス支持機構（第１実施例）
５１　窓枠
（５１ａ　窓口、５１ｂ　ボス、５１ｃ　支持ボス、５１ｄ　支持ボス、５１ｅ支持ボス）
５２　固定支持枠
（５２Ｕ　下方枠部、５２Ｌ　左方枠部、５２Ｒ　右方枠部、
５２Ｔ　吊支ブラケット、５２ａ　プレート部、５２ｂ　吊支フック部、
５２ｅ　切り欠き部、５２ｈ　支持孔部）
５３　保護フレーム
（５３ａ　ガラス溝、５３ｂ　溝間凹部、５３ｃ　ネジボス、５３ｄ　リブ、
５３ｅ　支持辺部、５３ｆ　延出辺部、５３ｇ　仮止め係合辺部、
５３ｈ　ネジ受容穴、５３ｉ　レバー溝、５３ｓ　前方の保護シート面、
５３ｔ　後方の保護シート面）
５４　ガラス板
５５　ガラスアッセンブリ
（５５ｂ　アーム係合片、５５ｃ　突起係合孔、５５ｓ　位置決め突起）
５６　掛止ブラケット
（５６ａ　プレート部、５６ｈ　サラモミ孔）
５７　掛止シャフト
（５７ａ　基部、５７ｂ　支軸部、５７ｍ　把持ハンドル部）
５８　ロックアーム
（５８ａ　カラー部、５８ｂ　アーム部、５８ｃ　係止突起、
５８ｍ　操作つまみ部）
５９　ロックレバー
（５９ａ　カラー部、５９ｃ　係止片部、５９ｍ　指掛け部）
６１　リベット
６２　スナップリング
６３　サラコネジ（６３′　ナベコネジ）
６４　ネジ
６５　ネジ
７０　ガラス支持機構（第２実施例）
７２　固定支持枠
（７２Ｕ　下方枠部、７２Ｌ　左方枠部、７２Ｒ　右方枠部、
７２ｂ　吊支シャフト、７２ｃ　吊支溝、７２ｄ　ネジ受容溝、
７２ｅ　第１切り欠き部、７２ｆ　第２切り欠き部）
７５　ガラスアッセンブリ
（７５ｂ　固定フランジ、７５ｆ　固定フック、７５ｐ　ロックピン）
７６　掛止ブラケット
（７６ａ　プレート部、７６ｂ　掛止フック部、７６ｍ　把持ハンドル部）
７７　仮止めフック
（７７ａ　固定部、７７ｂ　アーム部、７７ｃ　係止部、７７ｄ　受容面）
７８　第１ロックアーム
（７８ａ　カラー部、７８ｂ　アーム部、７８ｐ　係止溝、
７８ｍ　操作つまみ部）
７９　第２ロックアーム
（７９ａ　カラー部、７９ｂ　アーム部、７９ｆ　フック部、
７９ｍ　操作つまみ部）
８２　リベット
８４　ネジ
９０　ガラス支持機構（第３実施例）
９１　掛止ブラケット
（９１ａ　プレート部、９１ｂ　フランジ部）
９２　掛止シャフト
（９２ａ　シャフト部、９２ｂ　ショルダ部、９２ｃ　支軸部、
９２ｍ　把持ハンドル部）
９３　スナップリング
９４　ナット
９５　ガラスアッセンブリ
９６　ロックレバー
（９６ａ　カラー部、９６ｂ　係止片部）
９７　ネジ
９８　ローレットネジ
【図１】
2004105341.tif 000003
【図２】
2004105341.tif 000004
【図３】
2004105341.tif 000005
【図４】
2004105341.tif 000006
【図５】
2004105341.tif 000007
【図６】
2004105341.tif 000008
【図７】
2004105341.tif 000009
【図８】
2004105341.tif 000010
【図９】
2004105341.tif 000011
【図１０】
2004105341.tif 000012
【図１１】
2004105341.tif 000013
【図１２】
2004105341.tif 000014
【図１３】
2004105341.tif 000015
【図１４】
2004105341.tif 000016
【図１５】
2004105341.tif 000017
【図１６】
2004105341.tif 000018